(57)【要約】  電子機器は、他の電子機器と無線通信を行う第１の通信部と、設定情報を用いて、第１の通信部を介して他の電子機器と無線通信を確立する制御部と、を備える。制御部は、通信確立に用いた設定情報が非一時的に発行されたもの（例えば、本ＳＳＩＤ，本ＰＷ）である場合、他の電子機器に対して、第１の範囲の当該電子機器の動作についての遠隔操作を許可する（Ｓ３１５、Ｓ３１８）。通信確立に用いた設定情報が一時的に発行されたもの（例えば、仮ＳＳＩＤ，仮ＰＷ）である場合、制御部は、他の電子機器に対して、第１の範囲よりも制限された第２の範囲の当該電子機器の動作についての遠隔操作を許可する。
2014103314.tif 000002
【特許請求の範囲】
【請求項１】
他の電子機器と通信可能であり、前記他の電子機器からの遠隔操作を許可可能な電子機器であって、
前記他の電子機器と無線通信を行う第１の通信部と、
設定情報を用いて、前記第１の通信部を介して前記他の電子機器と無線通信を確立する制御部と、を備え、
前記制御部は、
前記通信確立に用いた前記設定情報が非一時的に発行されたものである場合、前記他の電子機器に対して、第１の範囲の当該電子機器の動作についての遠隔操作を許可し、
前記通信確立に用いた設定情報が一時的に発行されたものである場合、前記他の電子機器に対して、前記第１の範囲よりも制限された第２の範囲の当該電子機器の動作についての遠隔操作を許可する、
電子機器。
【請求項２】
前記設定情報は、前記他の電子機器との通信確立のために、前記他の電子機器に対して前記制御部により発行される、
請求項１に記載の電子機器。
【請求項３】
前記第１の通信部による無線通信よりも短い通信距離を有する第２の通信部をさらに備え、
前記制御部は、前記第２の通信部を介して、前記他の電子機器に対して前記設定情報を送信する、
請求項２に記載の電子機器。
【請求項４】
前記制御部は、前記第２の通信部を介して前記他の電子機器を識別したときに、前記設定情報をユーザの指示に基づき前記他の電子機器に対して送信する、
請求項３に記載の電子機器。
【請求項５】
前記制御部は、前記第２の通信部を介して前記他の電子機器を識別したときに、前記設定情報を自機に設定されている動作モードに応じて設定し、前記他の電子機器に対して送信する、
請求項３に記載の電子機器。
【請求項６】
表示部と、
被写体を撮像し画像データを生成する撮像部と、
前記撮像部により生成された画像データを記録媒体に記録する記録部と、をさらに備え、
前記第１の範囲の動作および前記第２の範囲の動作は、前記記録媒体に記録された画像データに基づく画像の前記表示部上での表示に関連した動作である、
請求項１から５のいずれかに記載の電子機器。
【請求項７】
前記第１の範囲は、前記表示部に複数の画像が表示されたときの動作と前記表示部に１枚の画像のみが表示されたときの動作を含み、前記第２の範囲は、前記表示部に１枚の画像のみが表示されたときの動作のみを含む、請求項６に記載の電子機器。
【請求項８】
前記設定情報は、前記他の電子機器を識別するための情報を含む、請求項１から５のいずれかに記載の電子機器。
【請求項９】
一の電子機器に対する他の電子機器からの遠隔操作を可能とするための機器間の通信方法であって、
設定情報を用いて、一の電子機器と他の電子機器との間で無線通信を確立するステップと、
前記通信確立に用いた設定情報に基づき、前記一の電子機器に対する前記他の電子機器からの遠隔操作の可否を制御するステップとを含み、
前記遠隔操作の可否を制御するステップは、
前記通信確立に用いた前記設定情報が非一時的に発行されたものである場合、前記他の電子機器に対して、前記一の電子機器の第１の範囲の動作について遠隔操作を許可するステップと、
前記通信確立に用いた設定情報が一時的に発行されたものである場合、前記他の電子機器に対して、前記第１の範囲よりも制限された第２の範囲の前記一の電子機器の動作について遠隔操作を許可するステップとを含む、
通信方法。
【発明の詳細な説明】
【技術分野】
【０００１】
本開示は、他の機器と通信が可能な電子機器に関する。
【背景技術】
【０００２】
特許文献１は、認定された指紋情報と、登録された指紋認識情報とが一致した場合にのみマスター端末のロック機能を解除する技術を開示している。これにより、不正な操作者による不正行為を抑止している。
【先行技術文献】
【特許文献】
【０００３】
【特許文献１】特開２００９−２９０４８１号公報
【発明の概要】
【発明が解決しようとする課題】
【０００４】
特開２００９−２９０４８１号公報に開示された技術は、登録されていない機器に対してはロック機能が解除されず、未登録の機器に通信したい場合に、容易に通信を行うことができないという課題がある。【０００５】
本開示は、セキュリティを考慮しながらも、容易に通信を行うことのできる電子機器を提供することを目的とする。
【課題を解決するための手段】
【０００６】
本開示の電子機器は、他の電子機器と通信可能であり、他の電子機器からの遠隔操作を許可可能な電子機器である。電子機器は、他の電子機器と無線通信を行う第１の通信部と、設定情報を用いて、第１の通信部を介して他の電子機器と無線通信を確立する制御部と、を備える。制御部は、通信確立に用いた設定情報が非一時的に発行されたものである場合、他の電子機器に対して、第１の範囲の当該電子機器の動作についての遠隔操作を許可する。通信確立に用いた設定情報が一時的に発行されたものである場合、制御部は、他の電子機器に対して、第１の範囲よりも制限された第２の範囲の当該電子機器の動作についての遠隔操作を許可する。【０００７】
本開示の通信方法は、一の電子機器に対する他の電子機器からの遠隔操作を可能とするための機器間の通信方法である。通信方法は、設定情報を用いて、一の電子機器と他の電子機器との間で無線通信を確立するステップと、通信確立に用いた設定情報に基づき、一の電子機器に対する他の電子機器からの遠隔操作の可否を制御するステップとを含む。遠隔操作の可否を制御するステップは、通信確立に用いた設定情報が非一時的に発行されたものである場合、他の電子機器に対して、一の電子機器の第１の範囲の動作について遠隔操作を許可するステップと、通信確立に用いた設定情報が一時的に発行されたものである場合、他の電子機器に対して、第１の範囲よりも制限された第２の範囲の前記一の電子機器の動作について遠隔操作を許可するステップとを含む。
【発明の効果】
【０００８】
本開示によれば、セキュリティを考慮しながらも、容易に通信を行うことのできる電子機器を提供できる。
【図面の簡単な説明】
【０００９】
【図１】デジタルカメラ１００とスマートフォン２００のシステム構成図
【図２】デジタルカメラ１００の電気的構成図
【図３】スマートフォン２００の電気的構成図
【図４】マルチ再生モード及び一枚再生モードを説明するための図
【図５】実施の形態１にかかるマルチ再生モード時の通信動作のフローチャート
【図６】実施の形態１にかかる管理表のイメージ図
【図７】ユーザへの問い合わせ画面を説明するための図
【図８】実施の形態１にかかる１枚再生モード時の通信動作のフローチャート
【図９】実施の形態２にかかる無制限接続選択時の通信動作のフローチャート
【図１０】ユーザへの問い合わせ画面を説明するための図
【図１１】実施の形態２にかかる管理表のイメージ図
【図１２】実施の形態２にかかる制限あり接続選択時の通信動作のフローチャート
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１１】
〔実施の形態１〕
デジタルカメラ１００およびスマートフォン２００の構成および本実施の形態における動作を説明する。
【００１２】
〔１−１．構成〕
以下図を用いて本発明に係るシステムの構成と、デジタルカメラ１００およびスマートフォン２５０の構成を説明する。
【００１３】
〔１−１−１．本発明に係るシステムの構成〕
図１は、デジタルカメラ１００とスマートフォン２００からなるシステム構成図である。図１に示すように、本実施の形態１にかかるデジタルカメラ１００は、ＮＦＣ（Ｎｅａｒ Ｆｉｅｌｄ Ｃｏｍｍｕｎｉｃａｔｉｏｎ）を介した認証動作を経て、スマートフォン２００と画像データを共有することができる。スマートフォン２５０は、通信部２５４を介して、デジタルカメラ１００のズーム操作やレリーズボタン押下などの指示を送信すること（遠隔操作）ができる。そして、デジタルカメラ１００は、スマートフォン２５０の指示を通信部１７１より受信し、受信した指示に従った動作を行う。このとき、デジタルカメラ１００は、画像の転送先であるスマートフォン２００が登録情報に登録されているか否かに応じて、スマートフォン２００からの指示に対して応答許可するか、応答拒否するかを切り替える。
【００１４】
これにより、セキュリティを考慮しつつ、容易に通信を行うことが可能となる。
【００１５】
以下、デジタルカメラ１００およびスマートフォン２００の構成および動作について説明する。
【００１６】
〔１−１−２．デジタルカメラ１００の構成〕
図２は、デジタルカメラ１００の電気的構成図である。デジタルカメラ１００は、光学系１１０を介して形成された被写体像をＣＭＯＳイメージセンサ１１５で撮像する。ＣＭＯＳイメージセンサ１１５は撮像した被写体像に基づく撮像データ（ＲＡＷデータ）を生成する。画像処理部１２０は、撮像により生成された撮像データに対して各種処理を施して画像データを生成する。コントローラ１３５は、画像処理部１２０にて生成された画像データをカードスロット１４０に装着されたメモリカード１４０に記録する。また、コントローラ１３５は、メモリカード１４０に記録された画像データを、使用者による操作部１５０の操作を受け付けて液晶モニタ１３０上に表示させること（再生）ができる。
【００１７】
光学系１１０は、フォーカスレンズ、ズームレンズ、光学式手ぶれ補正レンズ（ＯＩＳ）、絞り、シャッタ、等を含む。光学系１１０に含まれる各種レンズは、何枚から構成されるものであっても、何群から構成されるものであってもよい。
【００１８】
ＣＭＯＳイメージセンサ１１５は、光学系１１０を介して形成された被写体像を撮像して撮像データを生成する。ＣＭＯＳイメージセンサ１１５は、所定のフレームレート（例えば、３０フレーム／秒）で新しいフレームの画像データを生成する。ＣＭＯＳイメージセンサ１１５における、撮像データの生成タイミングおよび電子シャッタ動作は、コントローラ１３５によって制御される。なお、撮像素子はＣＭＯＳイメージセンサに限定されず、ＣＣＤイメージセンサやＮＭＯＳイメージセンサなど、他のイメージセンサを用いてもよい。
【００１９】
画像処理部１２０は、ＣＭＯＳイメージセンサ１１５から出力された撮像データに対して各種の処理を施して画像データを生成する。また、画像処理部１２０は、メモリカード１４５から読み出した画像データに各種の処理を施して、液晶モニタ１３０に表示するための画像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータなどで構成してもよい。
【００２０】
液晶モニタ１３０は、デジタルカメラ１００の背面に備わる。液晶モニタ１３０は、画像処理部１２０にて処理された画像データに基づく画像を表示する。なお、表示装置は、液晶モニタに限定されず、有機ＥＬモニタなど、他のモニタを用いてもよい。
【００２１】
コントローラ１３５は、デジタルカメラ１００全体の動作を統括制御する。コントローラ１３５は、ハードワイヤードな電子回路で構成してもよいし、マイクロコンピュータなどで構成してもよい。また、コントローラ１３５は、画像処理部１２０などと共に1つの半導体チップで構成してもよい。また、図示していないが、コントローラ１３５は内部にＲＯＭを有している。ＲＯＭには、他の通信機器とのＷｉＦｉ通信を確立するために必要なＳＳＩＤ（Ｓｅｒｖｉｃ Ｓｅｔ Ｉｄｅｎｔｉｆｉｅｒ）、ＷＥＰキー（Ｗｉｒｅｄ Ｅｑｕｉｖａｌｅｎｔ Ｐｒｉｖａｃｙ Ｋｅｙ）が記憶されている。コントローラ１３５は、必要に応じて、ＲＯＭからＳＳＩＤ、ＷＥＰキーを読み出すことができる。また、ＲＯＭには、オートフォーカス制御（ＡＦ制御）や、通信制御に関するプログラムの他、デジタルカメラ１００全体の動作を統括制御するためのプログラムが記憶されている。
【００２２】
バッファメモリ１２５は、画像処理部１２０やコントローラ１３５のワークメモリとして機能する記憶媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。
【００２３】
カードスロット１４０は、メモリカード１４５を着脱可能な接続手段である。カードスロット１４０は、メモリカード１４５を電気的及び機械的に接続可能である。メモリカード１４５は、内部にフラッシュメモリ等の記録素子を備えた外部メモリである。メモリカード１４５は、画像処理部１２０で生成される画像データなどのデータを格納できる。
【００２４】
操作部１５０は、デジタルカメラ１００の外装に備わっている操作釦や操作レバー等のハードキーの総称であり、使用者による操作を受け付ける。操作部１５０は使用者による操作を受け付けると、コントローラ１３５に種々の動作指示信号を通知する。
【００２５】
ＷｉＦｉモジュール１５５は、通信規格ＩＥＥＥ８０２．１１に準拠した通信を行う通信モジュールである。デジタルカメラ１００は、ＷｉＦｉモジュール１５５を介して、ＷｉＦｉモジュールを搭載した他の通信機器と通信することができる。デジタルカメラ１００は、ＷｉＦｉモジュール１５５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールに置換しても構わない。すなわち、通信モジュールとして、比較的通信ビットレートが高く、通信エリアが数メートル以上である通信が可能な通信モジュールを使用すればよい。
【００２６】
ＮＦＣタグ１６０は、ＮＦＣ規格に準拠した通信を行う通信タグである。デジタルカメラ１００は、ＮＦＣタグ１６０を介して、ＮＦＣリーダライタを搭載した他の通信機器と通信し、当該ＮＦＣリーダライタからのデータの読み取りおよび書き込みに応じる。ＮＦＣタグ１６０は、アンテナ、メモリ、ロジック回路を備えている。ＮＦＣタグ１６０のアンテナは、ＮＦＣ規格に準拠した信号を送受信する。ＮＦＣタグ１６０のメモリは、ＮＦＣリーダライタに読み取らせる情報を格納する。また、ＮＦＣタグ１６０のメモリは、ＮＦＣリーダライタによって情報が書き込まれる。ＮＦＣタグ１６０のロジック回路は、アンテナが受信した信号を復調してコントローラ１３５に伝送したり、コントローラ１３５やＮＦＣタグ１６０のメモリから伝送された信号を変調したりする。ＮＦＣタグ１６０は、デジタルカメラ１００の内部から電力供給されていない状態であっても、ＮＦＣタグ１６０に近接したＮＦＣリーダライタからの電磁誘導により電力が供給され動作することができる。
【００２７】
ＮＦＣ規格に準拠した通信の通信エリアは、数センチ程度である。ＮＦＣタグ１６０を介した通信のためには、デジタルカメラ１００のユーザは、ＮＦＣリーダライタを搭載した他の通信機器が、デジタルカメラ１００から数センチ程度の距離内に入るよう、デジタルカメラ１００を他の通信機器に近接させる必要がある。なお、ＮＦＣタグ１６０に換えて、他の近接場型の無線通信を行う通信手段を用いてもよい。
【００２８】
〔１−１−２．スマートフォン２００の構成〕
図３は、スマートフォン２００の電気的構成図である。スマートフォン２００は、画像処理部２０５にて生成された画像データが示す画像を、液晶モニタ２１５に表示することができる。液晶モニタ２１５の表面にはタッチパネル２１０が配置されており、ユーザによるタッチ操作を受け付けることができる。また、スマートフォン２００は操作部２３０を有し、操作部２３０上でタッチパネル２１０による操作以外の操作を行うことができる。コントローラ２２５は、ＷｉＦｉモジュール２３５、ＮＦＣリーダライタ２４０を介して、他の通信機器と通信することができる。
【００２９】
画像処理部２０５は、メモリカード１４５から読み出した画像データに各種の処理を施して、液晶モニタ２１５に表示するための画像を生成する。各種処理としては、伸張処理等が挙げられるが、これらに限定されない。画像処理部２０５は、ハードワイヤードな電子回路で構成してもよいし、プログラムを用いたマイクロコンピュータなどで構成してもよい。
【００３０】
タッチパネル２１０は、使用者の指等の接触を検出して操作情報をコントローラ２２５に出力する入力デバイスである。タッチパネル２１０は、液晶モニタ２１５の表面に配置されている。タッチパネル２１０は、抵抗膜方式でも、静電容量方式でも、他の方式であっても構わない。
【００３１】
液晶モニタ２１５は、コントローラ２２５から指示された画面を表示する表示デバイスである。
【００３２】
バッファメモリ２２０は、コントローラ２２５が各種処理動作を実行するために必要な情報を一時的に格納するメモリである。
【００３３】
コントローラ２２５は、スマートフォン２００を構成する各部の動作を制御する。コントローラ２２５は、画像処理部２０５、タッチパネル２１０、液晶モニタ２１５、バッファメモリ２２０、操作部２３０、ＷｉＦｉモジュール２３５及びＮＦＣリーダライタ２４０に電気的に接続されている。
【００３４】
ＷｉＦｉモジュール２３５は、通信規格ＩＥＥＥ８０２．１１に準拠した通信を行う通信モジュールである。スマートフォン２００は、ＷｉＦｉモジュール２３５を介して、ＷｉＦｉモジュールを搭載した他の通信機器と通信することができる。スマートフォン２００は、ＷｉＦｉモジュール２３５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールに使用しても構わない。すなわち、通信モジュールとして、比較的通信ビットレートが高く、通信エリアが数メートル以上である通信が可能な通信モジュールを使用すればよい。
【００３５】
ＮＦＣリーダライタ２４０は、ＮＦＣ規格に準拠した通信を行う通信リーダである。スマートフォン２００は、ＮＦＣリーダライタ２４０を介して、ＮＦＣリーダライタを搭載した他の通信機器や、ＮＦＣタグを搭載した他の通信機器と通信し、ＮＦＣタグのデータの読み取りおよび書き込みを行うことができる。ＮＦＣリーダライタ２４０は、アンテナ、メモリ、ロジック回路を備えている。ＮＦＣリーダライタ２４０のアンテナは、ＮＦＣ規格に準拠した信号を送受信する。ＮＦＣリーダライタ２４０のメモリは、ＮＦＣタグに書き込む情報を格納する。また、ＮＦＣリーダライタ２４０のメモリは、ＮＦＣタグから読み取った情報を格納する。ＮＦＣリーダライタ２４０のロジック回路は、アンテナが受信した信号を復調してコントローラ２２５に伝送したり、コントローラ２２５やＮＦＣリーダライタ２４０のメモリから伝送された信号を変調したりする。ＮＦＣリーダライタ２４０は、近接させたＮＦＣタグが電力供給されていない状態であっても、近接させたＮＦＣタグに電磁誘導により電力を供給し、情報を書き込んだり、読み取ったりすることができる。なお、ＮＦＣリーダライタに換えて、他の近接場型の無線通信を行う通信手段を用いてもよい。
【００３６】
フラッシュメモリ２４５は、スマートフォン２００で撮影した画像データ及びデジタルカメラ１００から転送された画像データ等を格納する。
【００３７】
なお、スマートフォン２００は、電話機能や、インターネット通信機能や、カメラ機能を備えていてもよい。
【００３８】
〔１−２．動作〕
実施の形態１にかかるデジタルカメラ１００およびスマートフォン２００の動作を説明する。なお、デジタルカメラ１００のＮＦＣタグ１６０と、スマートフォン２００のＮＦＣリーダライタ２４０とを、ＮＦＣ規格に準拠した通信の通信距離範囲内に近づけるユーザの動作を、「タッチ動作」と称する。本実施形態では、タッチ動作において、スマートフォン２００のＮＦＣリーダライタ２４０を、デジタルカメラ１００のＮＦＣタグ１６０に近づけてもよいし、デジタルカメラ１００のＮＦＣタグ１６０を、スマートフォン２００のＮＦＣリーダライタ２４０に近づけてもよい。
【００３９】
デジタルカメラ１００は、再生モードとして、マルチ再生モードと一枚再生モードとを有している。マルチ再生モードは、図４（Ａ）に示すように、デジタルカメラ１００の液晶モニタ１３０に、メモリカード１４５に記録された複数の再生画像を表示するモードである。一枚再生モードは、図４（Ｂ）に示すように、デジタルカメラ１００の液晶モニタ１３０に再生画像を一枚のみ表示するモードである。
【００４０】
また、スマートフォン２００は、デジタルカメラ１００とＷｉＦｉ接続された状態において、デジタルカメラ１００を遠隔操作する機能を有する。以下の説明において、ＷｉＦｉ経由での、デジタルカメラ１００に関するすべての機能についての操作を許可する通信接続を「無制限接続」と定義する。また、ＷｉＦｉ経由での、デジタルカメラ１００に関する一部の機能（例えば、一枚再生モードでの閲覧）のみの操作を許可する通信接続を「制限接続」と定義する。そして、ＷｉＦｉ経由での遠隔操作のすべてを許可しない接続を「接続拒否」と定義する。
【００４１】
デジタルカメラ１００とスマートフォン２００間のＷｉＦｉ接続には、ＷｉＦｉ設定情報（ＳＳＩＤ、ＰＷ（Pass Word）等）が用いられる。ＷｉＦｉ設定情報は、ＳＳＩＤ及びパスワード（以下「ＰＷ」という）を含む。本開示では、「無制限接続」に用いるＷｉＦｉ設定情報（ＳＳＩＤ、ＰＷ（Pass Word）等）を「本ＷｉＦｉ設定情報」（本ＳＳＩＤ、本ＰＷ）」と定義する。また、「制限接続」に用いるＷｉＦｉ設定情報を「仮ＷｉＦｉ設定情報（仮ＳＳＩＤ、仮ＰＷ）」と定義する。本ＷｉＦｉ設定情報（本ＳＳＩＤ、本ＰＷ）は、デジタルカメラ１００から一度発行された後も、恒久的に使われる情報である。仮ＷｉＦｉ設定情報（仮ＳＳＩＤ、仮ＰＷ）は、デジタルカメラ１００に一度発行された後、所定時間経過後に無効になる一時的な情報である。
【００４２】
マルチ再生モードでは、デジタルカメラ１００の液晶モニタ１３０に複数の画像が表示され、その中には、デジタルカメラ１００のユーザが他のユーザに閲覧させたくない画像も含まれる場合がある。一方、一枚再生モードでは、デジタルカメラ１００のユーザは、意図する画像を選択して表示させることができる。そこで、本開示では、マルチ再生モード時にデジタルカメラ１００に対しては、「無制限接続」で登録された機器のみがＷｉＦｉ接続可能とする。一方、マルチ再生モード以外のモード（例えば、一枚再生モード）では、「接続拒否」でない電子機器、すなわち、「無制限接続」または「制限接続」で登録または取り扱われる電子機器がデジタルカメラ１００に対してＷｉＦｉ接続可能であるとする。
【００４３】
以下の説明においては、デジタルカメラ１００に登録するスマートフォン２００を「スマートフォン２００Ａ」とし、デジタルカメラ１００に登録しないスマートフォン２００を「スマートフォン２００Ｂ」として説明する。また、スマートフォン２００Ａを構成する各構成要素の符号の末尾には「Ａ」を、スマートフォン２００Ｂを構成する各部の符号の末尾には「Ｂ」を付して説明する。
【００４４】
〔１−２−１．マルチ再生モード時の動作〕
図５を用いて、マルチ再生モードにおけるデジタルカメラ１００とスマートフォン２００との間の通信動作について説明する。図５は、実施の形態１にかかるマルチ再生モード時の通信動作のフローチャートである。
【００４５】
まず、スマートフォン２００Ａのユーザは、タッチパネル２１０を操作して、デジタルカメラ１００に対して操作指示するためのアプリケーションを起動させる（Ｓ３００）。これにより、スマートフォン２００Ａは、近接させたデジタルカメラ１００に対する遠隔操作が可能となるモードに移行する。
【００４６】
一方、デジタルカメラ１００は、ユーザによる操作部１５０での操作にしたがい、デジタルカメラ１００の動作モードが選択され、設定される。図５に示す例では、デジタルカメラ１００は、ユーザにより、マルチ再生モードに設定される（Ｓ３０１）。マルチ再生モードでは、デジタルカメラ１００に装着されたメモリカード１４５に記録された複数の画像が、液晶モニタ１３０の画面上に表示される。ユーザは、液晶モニタ１３０の画面を閲覧することで、デジタルカメラ１００に装着されたメモリカード１４５に記録された複数の画像を同時に確認することができる。
【００４７】
マルチ再生モードに設定されると、デジタルカメラ１００のコントローラ１３５は、ＮＦＣタグ１６０のメモリ部に本ＳＳＩＤを書き込む（Ｓ３０２）。なお、ＮＦＣタグ１６０への本ＳＳＩＤの書き込みは、マルチ再生モード設定時に限定されない。工場出荷時にあらかじめ本ＳＳＩＤが、ＮＦＣタグ１６０へ書き込まれても良いし、初回の電源ＯＮ時にコントローラ１３５により書き込まれても良い。
【００４８】
続いて、スマートフォン２００Ａをデジタルカメラ１００にタッチさせると（Ｓ３０３）、スマートフォン２００Ａのコントローラ２２５Ａは、ＮＦＣリーダライタ２４０Ａを介して、デジタルカメラ１００のＮＦＣタグ１６０から、本ＳＳＩＤを読み取る（Ｓ３０４）。また、そのタッチ動作により、スマートフォン２００Ａのコントローラ２２５Ａは、ＮＦＣリーダライタ２４０Ａを介して、ＮＦＣタグ１６０に、スマートフォン２００Ａを固有に識別する情報である機器識別子Ａを書き込む（Ｓ３０５）。
【００４９】
その後、デジタルカメラ１００のコントローラ１３５は、ＮＦＣタグ１６０から機器識別子Ａを読み取る（Ｓ３０６）。なお、上記では、ステップＳ３０３のタッチ動作により、スマートフォン２００Ａが、本ＳＳＩＤを取得した後、機器識別子Ａをデジタルカメラ１００に通知した。しかし、処理の順序はこれに限定されない。例えば、ステップＳ３０３のタッチ動作により、スマートフォン２００Ａが、機器識別子Ａを通知し、その後に、本ＳＳＩＤを取得するようにしてもよい。
【００５０】
デジタルカメラ１００のコントローラ１３５は、機器識別子Ａを取得すると、デジタルカメラ１００のメモリ内に記憶された管理表に当該機器識別子Ａが登録されているか否かを確認することにより、スマートフォン２００Ａの認証を行う（Ｓ３０７）。図６に管理表の例を示す。図６に示すように、管理表は、機器識別子と、その機器識別子が示す機器に対する制限（無制限）との対応を管理する。
【００５１】
管理表に機器識別子が登録されていない場合、デジタルカメラ１００のコントローラ１３５は、ユーザに接続許可するか否かを問い合わせるメッセージ画面を液晶モニタ１３０に表示させる（Ｓ３０８）。例えば、図７に示すように、液晶モニタ１３０に、「接続許可する」および「接続許可しない」のいずれかをユーザに選択させるための画面を表示する。この場合、ユーザは操作部１３０を操作することにより、「接続許可する」か「接続許可しない」かのいずれかを選択する。ユーザにより「接続許可しない」が選択された場合、「接続拒否」となり、図５に示す動作を終了する。一方、ユーザにより「接続許可する」が選択された場合、デジタルカメラ１００のコントローラ１３５は、図６に示すように、管理表に機器識別子Ａを登録する。ここでは、スマートフォン２００Ａに対して、ユーザにより「接続許可する」が選択されたとする。
【００５２】
この場合、機器識別子Ａが示すスマートフォン２００Ａは、デジタルカメラ１００に登録された機器すなわち接続許可された機器として管理される。このとき、デジタルカメラ１００はマルチ再生モードであるため、スマートフォン２００Ａは、「無制限接続」で接続される機器として管理表に登録される。
【００５３】
なお、管理表に機器識別子が登録されている場合は、デジタルカメラ１００のコントローラ１３５は、ユーザへ問い合わせるメッセージ画面の表示は行わず、スマートフォン２００Ａを「無制限接続」の機器として取り扱う。
【００５４】
続いて、スマートフォン２００Ａが無制限接続の機器であることから、デジタルカメラ１００のコントローラ１３５は、ＮＦＣタグ１６０に本ＰＷを書き込む（Ｓ３０９）。そして、デジタルカメラ１００のコントローラ１３５は、自機をアクセスポイントとして機能させるためのソフトウェアを実行して、本ＳＳＩＤおよび本ＰＷにてアクセスポイントを起動させる（Ｓ３１０）。
【００５５】
スマートフォン２００Ａのユーザは、ふたたびデジタルカメラ１００にスマートフォン２００Ａをタッチさせる（Ｓ３１１）。このタッチ動作により、スマートフォン２００ＡのＮＦＣリーダライタ２４０Ａは、デジタルカメラ１００のＮＦＣタグ１６０から本ＰＷを読み取ることができる（Ｓ３１２）。そして、スマートフォン２００Ａのコントローラ２２５Ａは、自機をステーションとして機能させるためのソフトウェアを実行して、ステーションを起動させる（Ｓ３１３）。そして、スマートフォン２００Ａのコントローラ２２５Ａは、取得した本ＳＳＩＤおよび本ＰＷを用いて、デジタルカメラ１００とのＷｉＦｉ通信を確立する（Ｓ３１４）。
【００５６】
以上のようにして、スマートフォン２００Ａは、デジタルカメラ１００に「無制限接続」対象の機器として登録され、ＷｉＦｉ通信を確立させる。以後、スマートフォン２００Ａとデジタルカメラ１００とはＷｉＦｉ通信を行う。
【００５７】
その後、スマートフォン２００Ａのユーザが、デジタルカメラ１００に対して、マルチ再生モードに関連する指示を行ったとする。スマートフォン２００Ａは、ユーザ操作に従い、デジタルカメラ１００に対して、マルチ再生モードに関連する指示（遠隔操作の指示）を送信する（Ｓ３１５）。
【００５８】
マルチ再生モードは、「無制限接続」として登録された機器のみがデジタルカメラ１００に対して接続可能（操作可能）となるモードである。また、スマートフォン２００Ａは「無制限接続」の機器である。このため、デジタルカメラ１００のコントローラ１３５は、スマートフォン２００Ａに対して、マルチ再生モードに関連する指示に対する許可応答を送信する（Ｓ３１６）。これにより、スマートフォン２００Ａは、マルチ再生モードに関連するデジタルカメラ１００の遠隔操作が可能となる。
【００５９】
次に、スマートフォン２００Ａのユーザが、デジタルカメラ１００に対して、マルチ再生モード以外の動作モード（例えば、１枚再生モード）に関連する指示を行ったとする。スマートフォン２００Ａは、デジタルカメラ１００に対して、マルチ再生モード以外の動作モード（例えば、１枚再生モード）に関連する指示を送信する（Ｓ３１７）。
【００６０】
マルチ再生モード以外の動作モード（例えば、１枚再生モード）は、「無制限接続」または「制限接続」で登録された機器が、デジタルカメラ１００に対して接続可能（操作可能）なモードである。スマートフォン２００Ａは、デジタルカメラ１００において「接続拒否」されておらず、図６に示すように「無制限接続」の機器として登録されている。このため、デジタルカメラ１００はスマートフォン２００Ａに対して、当該マルチ再生モード以外の動作モードに関連する指示に対する許可応答を行う（Ｓ３１８）。これにより、スマートフォン２００Ａは、マルチ再生モード以外の動作モードに関連する機能についても、デジタルカメラ１００の遠隔操作が可能となる。
【００６１】
以上のようにして、スマートフォン２００Ａは、「無制限接続」の条件にて、デジタルカメラ１００に対する遠隔操作指示を行うことができる。
【００６２】
〔１−２−２．一枚再生モード時の動作〕
図８を用いて、デジタルカメラ１００とスマートフォン２００間での、１枚再生モード時の通信動作について説明する。図８は、実施の形態１における１枚再生モード時の通信動作のフローチャートである。
【００６３】
まず、スマートフォン２００Ｂにおいて、ユーザによるタッチパネル２１０Ｂの操作により、デジタルカメラ１００に対する遠隔操作を可能とするためのアプリケーションが起動される（Ｓ４００）。これにより、スマートフォン２００Ｂは、近接させたデジタルカメラ１００に対して遠隔操作を可能とするモードに移行する。
【００６４】
一方、デジタルカメラ１００において、ユーザによる操作部１５０の操作にしたがい、デジタルカメラ１００の動作モードが選択され、設定される。図８に示す例では、デジタルカメラ１００は、ユーザにより、１枚再生モードに設定される（Ｓ４０１）。１枚再生モードは、デジタルカメラ１００に装着されたメモリカード１４５に記録された画像のうちの１枚を、液晶モニタ１３０の画面上に単独で表示するモードである。ユーザは、液晶モニタ１３０の画面を閲覧することで、デジタルカメラ１００に装着されたメモリカード１４５に記録された画像のうちの１枚だけを単独で確認できる。この場合、例えば、デジタルカメラ１００のユーザが、他人と共有してもよい画像を１枚だけ、再生対象として選択する。
【００６５】
１枚再生モードに設定されると、デジタルカメラ１００のコントローラ１３５は、ＮＦＣタグ１６０のメモリ部に仮ＳＳＩＤを書き込む（Ｓ４０２）。
【００６６】
続いて、スマートフォン２００Ｂをデジタルカメラ１００にタッチさせると（Ｓ４０３）、スマートフォン２００Ｂのコントローラ２２５Ｂは、ＮＦＣリーダライタ２４０Ｂを介して、デジタルカメラ１００のＮＦＣタグ１６０から、仮ＳＳＩＤを読み取る（Ｓ４０４）。また、ステップＳ４０３のタッチ動作により、スマートフォン２００Ｂのコントローラ２２５Ｂは、ＮＦＣリーダライタ２４０Ｂを介して、ＮＦＣタグ１６０に対して、スマートフォン２００Ｂを固有に識別する情報である機器識別子Ｂを書き込む（Ｓ４０５）。ＮＦＣタグ１６０に機器識別子Ｂが書き込まれると、デジタルカメラ１００のコントローラ１３５は、ＮＦＣタグ１６０から機器識別子Ｂを読み取る（Ｓ４０６）。なお、上記では、ステップＳ４０３のタッチ動作により、仮ＳＳＩＤを取得した後、機器識別子Ｂを通知する処理を説明したが、処理の順序はこれに限定されない。すなわち、ステップＳ４０３のタッチ操作により、機器識別子Ｂを通知した後に、仮ＳＳＩＤを取得するようにしてもよい。
【００６７】
デジタルカメラ１００のコントローラ１３５は、機器識別子Ｂを取得すると、デジタルカメラ１００のメモリ内に記憶された管理表に当該機器識別子Ｂが登録されているか否かを確認することにより、スマートフォン２００Ｂの認証を行う（Ｓ４０７）。このとき、スマートフォンが、デジタルカメラ１００の管理表に登録されていた場合、「無制限接続」を許可する。以下では、スマートフォン２００Ｂが、デジタルカメラ１００の管理表に登録されていないとして説明する。
【００６８】
１枚再生モードにおいては、スマートフォン２００Ｂがデジタルカメラ１００の管理表に登録されていない場合、デジタルカメラ１００のコントローラ１３５は、スマートフォン２００Ｂに対して、１枚再生モードにかかる操作指示のみ可能な「制限接続」による接続を許可する。
【００６９】
「制限接続」による接続を行うため、デジタルカメラ１００のコントローラ１３５は、ＮＦＣタグ１６０に仮ＰＷを書き込む（Ｓ４０８）。そして、デジタルカメラ１００のコントローラ１３５は、自機をアクセスポイントとして機能させるためのソフトウェアを実行して、仮ＳＳＩＤおよび仮ＰＷにてアクセスポイントを起動させる（Ｓ４０９）。
【００７０】
スマートフォン２００Ｂのユーザは、ふたたびデジタルカメラ１００にスマートフォン２００Ｂをタッチさせる（Ｓ４１０）。このタッチ動作により、スマートフォン２００ＢのＮＦＣリーダライタ２４０Ｂは、デジタルカメラ１００のＮＦＣタグ１６０から仮ＰＷを読み取ることができる（Ｓ４１１）。そして、スマートフォン２００Ｂのコントローラ２２５Ｂは、自機をステーションとして機能させるためのソフトウェアを実行して、ステーションを起動させる（Ｓ４１２）。そして、スマートフォン２００Ｂのコントローラ２２５Ｂは、取得した仮ＳＳＩＤおよび仮ＰＷを用いて、デジタルカメラ１００とのＷｉＦｉ通信を確立する（Ｓ４１３）。以後、スマートフォン２００Ｂとデジタルカメラ１００とはＷｉＦｉ通信を行う。
【００７１】
以上のようにして、スマートフォン２００Ｂは、デジタルカメラ１００において「制限接続」対象の機器として扱われる状態で、デジタルカメラ１００との間でＷｉＦｉ通信を確立する。
【００７２】
その後、スマートフォン２００Ｂのユーザが、デジタルカメラ１００に対して、１枚再生モードに関連する指示を行ったと（Ｓ４１４）する。１枚再生モードは、「接続拒否」でさえなければ、デジタルカメラ１００に対する他の機器の接続を許可するモードである。スマートフォン２００Ｂは、デジタルカメラ１００にて「制限接続」対象の機器として扱われているため、デジタルカメラ１００はスマートフォン２００Ｂに対して、１枚再生モードに関連する指示に対して許可応答を送信する（Ｓ４１５）。これにより、スマートフォン２００Ｂは、１枚再生モードに関連するデジタルカメラ１００の遠隔操作が可能となる。
【００７３】
さらに、スマートフォン２００Ｂのユーザが、デジタルカメラ１００に対して、マルチ再生モードに関連する指示を行ったと（Ｓ４１６）する。マルチ再生モードは、「無制限接続」として登録された機器のみが接続可能となるモードである。スマートフォン２００Ｂは、デジタルカメラ１００にて「制限接続」対象の機器として扱われている。このため、デジタルカメラ１００はスマートフォン２００Ｂに対して、マルチ再生モードに関連する指示に対して拒否応答を送信する（Ｓ４１７）。このように、スマートフォン２００Ｂを、マルチ再生モードに関連するデジタルカメラ１００の遠隔操作ができないよう制限することができる。
【００７４】
以上のようにして、スマートフォン２００Ｂは、「制限接続」の条件にて、デジタルカメラ１００に対する動作指示を行うことができる。すなわち、仮ＷｉＦｉ設定情報（仮ＳＳＩＤ、仮ＰＷ）を用いてＷｉＦｉ接続が確立された場合、スマートフォン２００Ｂは１枚再生モードに関連する遠隔操作は許可されるが、マルチ再生モードに関連する遠隔操作は拒否される。このように仮ＷｉＦｉ設定情報を用いてＷｉＦｉ接続が確立された場合、スマートフォン２００Ｂからの遠隔操作の範囲が、本ＷｉＦｉ設定情報を用いてＷｉＦｉ接続が確立された場合よりも限定される。
【００７５】
また、仮ＷｉＦｉ設定情報（仮ＳＳＩＤ、仮ＰＷ）は、デジタルカメラ１００に一度発行された後、所定時間経過後に無効になる。これにより、「制限接続」の対象機器に対しては、一定時間の制限下にて、デジタルカメラ１００に対する動作指示を行わせることができる。
【００７６】
以上のように、実施の形態１のデジタルカメラ１００は、スマートフォン２００と通信可能であり、スマートフォン２００からの遠隔操作を許可可能な電子機器である。デジタルカメラ１００は、スマートフォン２００と無線通信を行うＷｉＦｉモジュール１５５（第１の通信部の例）と、ＷｉＦｉ設定情報を用いて、ＷｉＦｉモジュール１５５を介してスマートフォン２００と無線通信を確立するコントローラ１３５と、を備える。コントローラ１３５は、通信確立に用いたＷｉＦｉ設定情報が非一時的に発行されたもの（本ＳＳＩＤ、本ＰＷ）である場合、スマートフォン２００に対して、第１の範囲のデジタルカメラ１００の動作（マルチ再生及び一枚再生の双方）についての遠隔操作を許可する（Ｓ３１５−Ｓ３１６、Ｓ３１７−Ｓ３１８）。通信確立に用いた設定情報が一時的に発行されたもの（仮ＳＳＩＤ、仮ＰＷ）である場合、スマートフォン２００に対して、第１の範囲よりも制限された第２の範囲のデジタルカメラ１００の動作についての遠隔操作（一枚再生にかかる指示のみ）を許可する（Ｓ４１４−Ｓ４１５、Ｓ４１６−Ｓ４１７）。
【００７７】
〔実施の形態２〕
デジタルカメラ１００とスマートフォン２００間の通信動作の別の実施形態について説明する。なお、実施の形態２にかかるデジタルカメラ１００およびスマートフォン２００の構成については、実施の形態１にて説明したデジタルカメラ１００およびスマートフォン２００の構成と同様であるため、詳細説明を省略する。よって、実施の形態２にかかるデジタルカメラ１００およびスマートフォン２００の各構成要素の符号については、実施の形態１にかかるデジタルカメラ１００およびスマートフォン２００と同じ符号を用いる。
【００７８】
本実施形態では、デジタルカメラ１００は、スマートフォン２００から機器識別子を受けて認証後に、ＳＳＩＤ及びＰＷ（ＷｉＦｉ設定情報）をスマートフォン２００に送信する。デジタルカメラ１００での認証時において、管理表にスマートフォンが登録されていない場合、ユーザの選択（無制限接続／制限接続／接続拒否）にしたがってスマートフォンが管理表に登録される。
【００７９】
〔２−１．無制限接続選択時の通信動作〕
図９を用いて、実施の形態２における、ユーザにより無制限接続が選択された時のデジタルカメラ１００とスマートフォン２００Ａ間の通信動作を説明する。図９は、実施の形態２における無制限接続選択時の通信動作のフローチャートである。
【００８０】
まず、スマートフォン２００Ａのユーザは、タッチパネル２１０を操作して、デジタルカメラ１００に対して操作指示するためのアプリケーションを起動させる（Ｓ５００）。これにより、スマートフォン２００Ａは、近接させたデジタルカメラ１００に対する遠隔操作が可能となるモードに移行する。
【００８１】
続いて、スマートフォン２００Ａをデジタルカメラ１００にタッチさせると（Ｓ５０１）、スマートフォン２００Ａのコントローラ２２５Ａは、ＮＦＣリーダライタ２４０Ａを介して、デジタルカメラ１００のＮＦＣタグ１６０に対して、スマートフォン２００Ａを固有に識別する機器識別子Ａを書き込む（Ｓ５０２）。ＮＦＣタグ１６０に機器識別子Ａが書き込まれると、デジタルカメラ１００のコントローラ１３５は、ＮＦＣタグ１６０から機器識別子Ａを読み取る（Ｓ５０３）。
【００８２】
デジタルカメラ１００のコントローラ１３５は、機器識別子Ａを取得すると、デジタルカメラ１００のメモリ内に記憶された管理表に当該機器識別子Ａが登録されているか否かを確認することにより、スマートフォン２００Ａの認証を行う（Ｓ５０４）。管理表に機器識別子が登録されていない場合、デジタルカメラ１００のコントローラ１３５は、ユーザに接続許可するか否かを問い合わせるメッセージ画面を液晶モニタ１３０に表示させる。例えば、液晶モニタ１３０に、図１０に示すように、「無制限接続を許可する」、「制限接続を許可する」及び「接続を許可しない」のいずれかを選択させるための画面を表示する。
【００８３】
ユーザは、操作部１３０を操作することにより、「無制限接続を許可する」、「制限接続を許可する」及び「接続を許可しない」のいずれかを選択する。ユーザにより「接続を許可しない」が選択された場合、「接続拒否」となり、図９に示す動作は本ステップで終了する。ここでは、ユーザが「無制限接続を許可する」を選択したとする（Ｓ５０５）。この場合、デジタルカメラ１００のコントローラ１３５は、図１１に示すように、管理表に機器識別子Ａを登録する。そして、図１１に示すように、機器識別子Ａは「無制限接続」として管理される。以後、機器識別子Ａが示すスマートフォン２００Ａは、デジタルカメラ１００に登録された機器として管理される。デジタルカメラ１００に登録されたスマートフォン２００Ａは、「無制限接続」の対象であるとして把握される。なお、ユーザが「制限接続」を選択した場合の動作については詳細を後述する。
【００８４】
続いて、デジタルカメラ１００のコントローラ１３５は、ＮＦＣタグ１６０に本ＳＳＩＤおよび本ＰＷを書き込む（Ｓ５０６）。そして、デジタルカメラ１００のコントローラ１３５は、自機をアクセスポイントとして機能させるためのソフトウェアを実行して、本ＳＳＩＤおよび本ＰＷにてアクセスポイントを起動させる（Ｓ５０７）。
【００８５】
スマートフォン２００Ａのユーザは、ふたたびデジタルカメラ１００にスマートフォン２００Ａをタッチさせる（Ｓ５０８）。このタッチ動作により、スマートフォン２００ＡのＮＦＣリーダライタ２４０Ａは、デジタルカメラ１００のＮＦＣタグ１６０から本ＳＳＩＤおよび本ＰＷを読み取ることができる（Ｓ５０９）。そして、スマートフォン２００Ａのコントローラ２２５Ａは、自機をステーションとして機能させるためのソフトウェアを実行して、ステーションを起動させる（Ｓ５１０）。そして、スマートフォン２００Ａのコントローラ２２５Ａは、取得した本ＳＳＩＤおよび本ＰＷを用いて、デジタルカメラ１００とのＷｉＦｉ通信を確立する（Ｓ５１１）。以後、スマートフォン２００Ａとデジタルカメラ１００とはＷｉＦｉ通信を行う。
【００８６】
以上のようにして、スマートフォン２００Ａは、デジタルカメラ１００に「無制限接続」対象の機器として登録されて、ＷｉＦｉ通信が確立される。
【００８７】
その後、スマートフォン２００Ａのユーザが、デジタルカメラ１００に対して、１枚再生モードに関連する指示を行ったとする。スマートフォン２００Ａは、ユーザ操作に従い、デジタルカメラ１００に対して、１枚再生モードに関連する指示（遠隔操作の指示）を送信する（Ｓ５１２）。
【００８８】
本実施の形態では、１枚再生モードは、「無制限接続」または「制限接続」として登録された機器が、遠隔操作可能となるモードである。そして、スマートフォン２００Ａは、デジタルカメラ１００にて「無制限接続」対象の機器として登録されているため、デジタルカメラ１００はスマートフォン２００Ａに対して、１枚再生モードに関連する指示に対する許可応答を送信する（Ｓ５１３）。これにより、スマートフォン２００Ａは、１枚再生モードに関連するデジタルカメラ１００の遠隔操作が可能となる。
【００８９】
次に、スマートフォン２００Ａのユーザが、デジタルカメラ１００に対して、マルチ再生モードに関連する指示を行ったとする。スマートフォン２００Ａは、デジタルカメラ１００に対して、マルチ再生モードに関連する指示（遠隔操作の指示）を送信する（Ｓ５１４）。このとき、本実施の形態では、マルチ再生モードは「無制限接続」として登録された機器のみが遠隔操作可能となるモードである。スマートフォン２００Ａは、デジタルカメラ１００にて「無制限接続」の機器として登録されているため、デジタルカメラ１００はスマートフォン２００Ａに対して、マルチ再生モードに関連する指示に対する許可応答を送信する（Ｓ５１５）。従って、スマートフォン２００Ａは、マルチ再生モードに関連するデジタルカメラ１００の遠隔操作が可能となる。
【００９０】
以上のようにして、スマートフォン２００Ａは、「無制限接続」の条件で、デジタルカメラ１００に対する遠隔操作を行うことができる。
【００９１】
〔２−２．制限接続選択時の通信動作〕
続いて、図１２を用いて、制限接続が選択された時のデジタルカメラ１００とスマートフォン２００間での通信動作を説明する。図１２は、実施の形態２における制限接続選択時の通信動作のフローチャートである。
【００９２】
まず、スマートフォン２００Ｂにおいて、ユーザによるタッチパネル２１０Ｂの操作により、デジタルカメラ１００に対する遠隔操作を可能とするためのアプリケーションが起動される（Ｓ６００）。これにより、スマートフォン２００Ｂは、近接させたデジタルカメラ１００に対して遠隔操作を可能とするモードに移行する。
【００９３】
続いて、スマートフォン２００Ｂをデジタルカメラ１００にタッチさせると（Ｓ６０１）、スマートフォン２００Ｂのコントローラ２２５Ｂは、ＮＦＣリーダライタ２４０Ｂを介して、デジタルカメラ１００のＮＦＣタグ１６０に対して、スマートフォン２００Ｂを固有に識別する機器識別子Ｂを書き込む（Ｓ６０２）。ＮＦＣタグ１６０に機器識別子Ｂが書き込まれると、デジタルカメラ１００のコントローラ１３５は、ＮＦＣタグ１６０から機器識別子Ｂを読み取る（Ｓ６０３）。
【００９４】
デジタルカメラ１００のコントローラ１３５は、機器識別子Ｂを取得すると、デジタルカメラ１００のメモリ内に記憶された管理表に当該機器識別子Ｂが登録されているか否かを歓談することで、スマートフォン２００Ｂの認証を行う（Ｓ６０４）。管理表に機器識別子が登録されていない場合、デジタルカメラ１００のコントローラ１３５は、図１０に示すような、ユーザに接続許可するか否かを問い合わせるメッセージ画面を液晶モニタ１３０に表示させる。
【００９５】
ユーザが「制限接続を許可する」を選択した場合、デジタルカメラ１００のコントローラ１３５は、図１１に示すように、管理表に機器識別子Ｂを登録する。そして、図１１に示すように、機器識別子Ｂは「制限接続」として管理する。以後、機器識別子Ｂが示すスマートフォン２００Ｂは、デジタルカメラ１００に登録された機器として管理される。また、デジタルカメラ１００に登録されたスマートフォン２００Ｂは、「制限接続」の対象であるとして、管理表に管理される。
【００９６】
続いて、デジタルカメラ１００のコントローラ１３５は、ＮＦＣタグ１６０に仮ＳＳＩＤおおび仮ＰＷを書き込む（Ｓ６０６）。そして、デジタルカメラ１００のコントローラ１３５は、自機をアクセスポイントとして機能させるためのソフトウェアを実行して、仮ＳＳＩＤおよび仮ＰＷにてアクセスポイントを起動させる（Ｓ６０７）。
【００９７】
また、ユーザは、ふたたびデジタルカメラ１００にスマートフォン２００Ｂをタッチさせる（Ｓ６０８）。このタッチ動作により、スマートフォン２００ＢのＮＦＣリーダライタ２４０Ｂは、デジタルカメラ１００のＮＦＣタグ１６０から仮ＳＳＩＤおよび仮ＰＷを読み取ることができる（Ｓ６０９）。そして、スマートフォン２００Ｂのコントローラ２２５Ｂは、自機をステーションとして機能させるためのソフトウェアを実行して、ステーションを起動させる（Ｓ６１０）。そして、スマートフォン２００Ｂのコントローラ２２５Ｂは、取得した仮ＳＳＩＤおよび仮ＰＷを用いて、デジタルカメラ１００とのＷｉＦｉ通信を確立する（Ｓ６１１）。以後、スマートフォン２００Ｂとデジタルカメラ１００とはＷｉＦｉ通信を行う。
【００９８】
以上のようにして、スマートフォン２００Ｂは、デジタルカメラ１００に「制限接続」の機器として登録されて、ＷｉＦｉ通信が確立される。
【００９９】
その後、スマートフォン２００Ｂのユーザが、デジタルカメラ１００に対して、１枚再生モードに関連した遠隔操作指示を行ったとする。スマートフォン２００Ｂは、デジタルカメラ１００に対して、１枚再生モードに関連する指示を送信する（Ｓ６１２）。本実施の形態では、１枚再生モードは、「無制限接続」または「制限接続」で登録された機器が遠隔操作が可能となるモードである。スマートフォン２００Ｂは、デジタルカメラ１００にて「制限接続」対象の機器として登録されている。このため、デジタルカメラ１００はスマートフォン２００Ｂに対して、１枚再生モードに関連する指示に対して許可応答を送信する（Ｓ６１３）。これにより、スマートフォン２００Ｂは、１枚再生モードにかかるデジタルカメラ１００の遠隔操作が可能となる。
【０１００】
次に、スマートフォン２００Ｂのユーザが、デジタルカメラ１００に対して、マルチ再生モードに関連する指示を行ったとする。スマートフォン２００Ｂは、デジタルカメラ１００に対して、マルチ再生モードに関連する指示を送信する（Ｓ６１４）。しかしながら、スマートフォン２００Ｂは、デジタルカメラ１００にて「制限接続」対象の機器として登録されているため、デジタルカメラ１００はスマートフォン２００Ｂに対して、マルチ再生モードに関連する指示の拒否応答を送信する（Ｓ６１５）。従って、スマートフォン２００Ｂは、マルチ再生モードに関連するデジタルカメラ１００の遠隔操作が可能となる。
【０１０１】
以上のようにして、スマートフォン２００Ｂは、「制限接続」の条件にて、デジタルカメラ１００に対する遠隔操作指示を行うことができる。
【０１０２】
また、仮ＷｉＦｉ設定情報（仮ＳＳＩＤ、仮ＰＷ）は、デジタルカメラ１００に一度発行された後、所定時間経過後に無効になる。これにより、「制限接続」の対象機器に対しては、一定時間の制限下にて、デジタルカメラ１００に対する動作指示を行わせることができる。
【０１０３】
本実施形態においても、通信確立に用いたＷｉＦｉ設定情報が非一時的に発行されたもの（本ＳＳＩＤ、本ＰＷ）である場合、コントローラ１３５は、スマートフォン２００に対して、第１の範囲のデジタルカメラ１００の動作（マルチ再生及び一枚再生の双方）についての遠隔操作を許可する（Ｓ５１２−Ｓ５１３、Ｓ５１４−Ｓ５１５）。通信確立に用いた設定情報が一時的に発行されたもの（仮ＳＳＩＤ、仮ＰＷ）である場合、スマートフォン２００に対して、第１の範囲よりも制限された第２の範囲のデジタルカメラ１００の動作についての遠隔操作（一枚再生にかかる指示のみ）を許可する（Ｓ６１２−Ｓ６１３、Ｓ６１４−Ｓ６１５）。これにより、仮ＷｉＦｉ設定情報を用いてＷｉＦｉ接続が確立された場合、スマートフォン２００Ｂからの遠隔操作の範囲が、本ＷｉＦｉ設定情報を用いてＷｉＦｉ接続が確立された場合よりも限定される。
【０１０４】
以上のように、実施の形態２にかかるデジタルカメラ１００よれば、セキュリティを考慮しながらも、容易に通信を行うことができる。
【０１０５】
〔他の実施の形態〕
以上のように、本出願において開示する技術の例示として、実施の形態１〜２を説明した。しかしながら、本開示における技術は、これに限定されず、適宜、変更、置き換え、付加、省略などを行った実施の形態にも適用可能である。また、上記実施の形態１〜２で説明した各構成要素を組み合わせて、新たな実施の形態とすることも可能である。以下、他の実施の形態を例示する。
【０１０６】
上記実施の形態においては、仮ＷｉＦｉ設定情報（仮ＳＳＩＤ、仮ＰＷ）は、デジタルカメラ１００に一度発行された後、所定時間経過後に無効になるとしたが、これに限定されない。他にも例えば、所定の操作を行ったときに無効にしてもよいし、１枚の画像の閲覧が終了したときに無効にしてもよい。要するに、一時的に発行される情報となるようにできればよい。
【０１０７】
上記実施の形態においては、デジタルカメラ１００のコントローラ１３５は、ＮＦＣタグ１６０にＷｉＦｉ設定情報（本ＰＷや本ＳＳＩＤ、仮ＰＷ、仮ＳＳＩＤ）を書き込む（Ｓ３０９、Ｓ４０８、Ｓ５０６、Ｓ６０６）方式にて説明を行ったが、これに限定されない。デジタルカメラ１００のコントローラ１３５は、ＮＦＣタグ１６０にＷｉＦｉ設定情報の事前の書き込みは行わず、タッチ動作（Ｓ３１１、Ｓ４１０、Ｓ５０８、Ｓ６０８）を行ったときに、デジタルカメラ１００のコントローラ１３５からＮＦＣタグ１６０を介して、直接スマートフォン２００Ａに対して、ＷｉＦｉ設定情報の通知を行っても良い。デジタルカメラ１００は、ＮＦＣタグ１６０へ本ＰＷを書き込まないことで、よりセキュアなシステムを提供できる。
【０１０８】
さらに、このときデジタルカメラ１００は、スマートフォン２００Ａのタッチ動作（Ｓ３１１、Ｓ４１０、Ｓ５０８、Ｓ６０８）が完了した後、デジタルカメラ１００のＮＦＣタグ１６０へ書き込んだＷｉＦｉ設定情報を消去しても良い。デジタルカメラ１００は、ＮＦＣタグ１６０へ書き込んだ本ＰＷ情報を消去することで、よりセキュアなシステムを提供できる。
【０１０９】
また、デジタルカメラ１００は、スマートフォン２００Ａのタッチ動作（Ｓ３１１、Ｓ４１０、Ｓ５０８、Ｓ６０８）が一定時間なされない場合に、デジタルカメラ１００は、ＮＦＣタグ１６０へ書き込んだＷｉＦｉ設定情報を消去してもよい。これにより、さらにセキュアなシステムを提供できる。
【０１１０】
また、上記実施形態において、図５に示すステップＳ３０８等において、管理表に機器識別子が登録されていない場合、接続許可について「ユーザ問い合わせ」を行ったが、すでに管理表に機器識別子が登録されている場合、「ユーザ問い合わせ」を行わなくてもよい。
【０１１１】
デジタルカメラ１００のコントローラ１３５及びスマートフォン２００のコントローラ２２５は、例えば、ＣＰＵ，ＭＰＵ，ＦＰＧＡで構成される。
【０１１２】
以上のように、本開示における技術の例示として、実施の形態を説明した。そのために、添付図面および詳細な説明を提供した。
【０１１３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１４】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１５】
本開示の技術的思想は、デジタルカメラやスマートフォンへの実施に限定されない。すなわち、本開示の技術的思想は、他の電子機器と通信し、画像を通信可能な電子機器に対して適用可能である。
【図１】
2014103314.tif 000003
【図２】
2014103314.tif 000004
【図３】
2014103314.tif 000005
【図４】
2014103314.tif 000006
【図５】
2014103314.tif 000007
【図６】
2014103314.tif 000008
【図７】
2014103314.tif 000009
【図８】
2014103314.tif 000010
【図９】
2014103314.tif 000011
【図１０】
2014103314.tif 000012
【図１１】
2014103314.tif 000013
【図１２】
2014103314.tif 000014
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
他の電子機器と通信可能であり、前記他の電子機器からの遠隔操作を許可可能な電子機器であって、
前記他の電子機器と無線通信を行う第１の通信部と、
設定情報を用いて、前記第１の通信部を介して前記他の電子機器と無線通信を確立する制御部と、を備え、
前記制御部は、
前記通信確立に用いた前記設定情報が非一時的に発行されたものである場合、前記他の電子機器に対して、第１の範囲の当該電子機器の動作についての遠隔操作を許可し、
前記通信確立に用いた設定情報が一時的に発行されたものである場合、前記他の電子機器に対して、前記第１の範囲よりも制限された第２の範囲の当該電子機器の動作についての遠隔操作を許可する、
電子機器。
【請求項２】
前記設定情報は、前記他の電子機器との通信確立のために、前記他の電子機器に対して前記制御部により発行される、
請求項１に記載の電子機器。
【請求項３】
前記第１の通信部による無線通信よりも短い通信距離を有する第２の通信部をさらに備え、
前記制御部は、前記第２の通信部を介して、前記他の電子機器に対して前記設定情報を送信する、
請求項２に記載の電子機器。
【請求項４】
前記制御部は、前記第２の通信部を介して前記他の電子機器を識別したときに、前記設定情報をユーザの指示に基づき前記他の電子機器に対して送信する、
請求項３に記載の電子機器。
【請求項５】
前記制御部は、前記第２の通信部を介して前記他の電子機器を識別したときに、前記設定情報を自機に設定されている動作モードに応じて設定し、前記他の電子機器に対して送信する、
請求項３に記載の電子機器。
【請求項６】
表示部と、
被写体を撮像し画像データを生成する撮像部と、
前記撮像部により生成された画像データを記録媒体に記録する記録部と、をさらに備え、
前記第１の範囲の動作および前記第２の範囲の動作は、前記記録媒体に記録された画像データに基づく画像の前記表示部上での表示に関連した動作である、
請求項１から５のいずれかに記載の電子機器。
【請求項７】
前記第１の範囲は、前記表示部に複数の画像が表示されたときの動作と前記表示部に１枚の画像のみが表示されたときの動作を含み、前記第２の範囲は、前記表示部に１枚の画像のみが表示されたときの動作のみを含む、請求項６に記載の電子機器。
【請求項８】
前記設定情報は、前記他の電子機器を識別するための情報を含む、請求項１から５のいずれかに記載の電子機器。
【請求項９】
一の電子機器に対する他の電子機器からの遠隔操作を可能とするための機器間の通信方法であって、
設定情報を用いて、一の電子機器と他の電子機器との間で無線通信を確立するステップと、
前記通信確立に用いた設定情報に基づき、前記一の電子機器に対する前記他の電子機器からの遠隔操作の可否を制御するステップとを含み、
前記遠隔操作の可否を制御するステップは、
前記通信確立に用いた前記設定情報が非一時的に発行されたものである場合、前記他の電子機器に対して、前記一の電子機器の第１の範囲の動作について遠隔操作を許可するステップと、
前記通信確立に用いた設定情報が一時的に発行されたものである場合、前記他の電子機器に対して、前記第１の範囲よりも制限された第２の範囲の前記一の電子機器の動作について遠隔操作を許可するステップとを含む、
通信方法。
【手続補正２】
【補正対象書類名】明細書
【補正対象項目名】全文
【補正方法】変更
【補正の内容】
【発明の詳細な説明】
【技術分野】
【０００１】
本開示は、他の機器と通信が可能な電子機器に関する。
【背景技術】
【０００２】
特許文献１は、認定された指紋情報と、登録された指紋認識情報とが一致した場合にのみマスター端末のロック機能を解除する技術を開示している。これにより、不正な操作者による不正行為を抑止している。
【先行技術文献】
【特許文献】
【０００３】
【特許文献１】特開２００９−２９０４８１号公報
【発明の概要】
【発明が解決しようとする課題】
【０００４】
特開２００９−２９０４８１号公報に開示された技術は、登録されていない機器に対してはロック機能が解除されず、未登録の機器に通信したい場合に、容易に通信を行うことができないという課題がある。
【０００５】
本開示は、セキュリティを考慮しながらも、容易に通信を行うことのできる電子機器を提供することを目的とする。
【課題を解決するための手段】
【０００６】
本開示の電子機器は、他の電子機器と通信可能であり、他の電子機器からの遠隔操作を許可可能な電子機器である。電子機器は、他の電子機器と無線通信を行う第１の通信部と、設定情報を用いて、第１の通信部を介して他の電子機器と無線通信を確立する制御部と、を備える。制御部は、通信確立に用いた設定情報が非一時的に発行されたものである場合、他の電子機器に対して、第１の範囲の当該電子機器の動作についての遠隔操作を許可する。通信確立に用いた設定情報が一時的に発行されたものである場合、制御部は、他の電子機器に対して、第１の範囲よりも制限された第２の範囲の当該電子機器の動作についての遠隔操作を許可する。
【０００７】
本開示の通信方法は、一の電子機器に対する他の電子機器からの遠隔操作を可能とするための機器間の通信方法である。通信方法は、設定情報を用いて、一の電子機器と他の電子機器との間で無線通信を確立するステップと、通信確立に用いた設定情報に基づき、一の電子機器に対する他の電子機器からの遠隔操作の可否を制御するステップとを含む。遠隔操作の可否を制御するステップは、通信確立に用いた設定情報が非一時的に発行されたものである場合、他の電子機器に対して、一の電子機器の第１の範囲の動作について遠隔操作を許可するステップと、通信確立に用いた設定情報が一時的に発行されたものである場合、他の電子機器に対して、第１の範囲よりも制限された第２の範囲の前記一の電子機器の動作について遠隔操作を許可するステップとを含む。
【発明の効果】
【０００８】
本開示によれば、セキュリティを考慮しながらも、容易に通信を行うことのできる電子機器を提供できる。
【図面の簡単な説明】
【０００９】
【図１】デジタルカメラ１００とスマートフォン２００のシステム構成図
【図２】デジタルカメラ１００の電気的構成図
【図３】スマートフォン２００の電気的構成図
【図４】マルチ再生モード及び一枚再生モードを説明するための図
【図５】実施の形態１にかかるマルチ再生モード時の通信動作のフローチャート
【図６】実施の形態１にかかる管理表のイメージ図
【図７】ユーザへの問い合わせ画面を説明するための図
【図８】実施の形態１にかかる１枚再生モード時の通信動作のフローチャート
【図９】実施の形態２にかかる無制限接続選択時の通信動作のフローチャート
【図１０】ユーザへの問い合わせ画面を説明するための図
【図１１】実施の形態２にかかる管理表のイメージ図
【図１２】実施の形態２にかかる制限あり接続選択時の通信動作のフローチャート
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１１】
〔実施の形態１〕
デジタルカメラ１００およびスマートフォン２００の構成および本実施の形態における動作を説明する。
【００１２】
〔１−１．構成〕
以下図を用いて本発明に係るシステムの構成と、デジタルカメラ１００およびスマートフォン２５０の構成を説明する。
【００１３】
〔１−１−１．本発明に係るシステムの構成〕
図１は、デジタルカメラ１００とスマートフォン２００からなるシステム構成図である。図１に示すように、本実施の形態１にかかるデジタルカメラ１００は、ＮＦＣ（Ｎｅａｒ Ｆｉｅｌｄ Ｃｏｍｍｕｎｉｃａｔｉｏｎ）を介した認証動作を経て、スマートフォン２００と画像データを共有することができる。スマートフォン２５０は、通信部２５４を介して、デジタルカメラ１００のズーム操作やレリーズボタン押下などの指示を送信すること（遠隔操作）ができる。そして、デジタルカメラ１００は、スマートフォン２５０の指示を通信部１７１より受信し、受信した指示に従った動作を行う。このとき、デジタルカメラ１００は、画像の転送先であるスマートフォン２００が登録情報に登録されているか否かに応じて、スマートフォン２００からの指示に対して応答許可するか、応答拒否するかを切り替える。
【００１４】
これにより、セキュリティを考慮しつつ、容易に通信を行うことが可能となる。
【００１５】
以下、デジタルカメラ１００およびスマートフォン２００の構成および動作について説明する。
【００１６】
〔１−１−２．デジタルカメラ１００の構成〕
図２は、デジタルカメラ１００の電気的構成図である。デジタルカメラ１００は、光学系１１０を介して形成された被写体像をＣＭＯＳイメージセンサ１１５で撮像する。ＣＭＯＳイメージセンサ１１５は撮像した被写体像に基づく撮像データ（ＲＡＷデータ）を生成する。画像処理部１２０は、撮像により生成された撮像データに対して各種処理を施して画像データを生成する。コントローラ１３５は、画像処理部１２０にて生成された画像データをカードスロット１４０に装着されたメモリカード１４０に記録する。また、コントローラ１３５は、メモリカード１４０に記録された画像データを、使用者による操作部１５０の操作を受け付けて液晶モニタ１３０上に表示させること（再生）ができる。
【００１７】
光学系１１０は、フォーカスレンズ、ズームレンズ、光学式手ぶれ補正レンズ（ＯＩＳ）、絞り、シャッタ、等を含む。光学系１１０に含まれる各種レンズは、何枚から構成されるものであっても、何群から構成されるものであってもよい。
【００１８】
ＣＭＯＳイメージセンサ１１５は、光学系１１０を介して形成された被写体像を撮像して撮像データを生成する。ＣＭＯＳイメージセンサ１１５は、所定のフレームレート（例えば、３０フレーム／秒）で新しいフレームの画像データを生成する。ＣＭＯＳイメージセンサ１１５における、撮像データの生成タイミングおよび電子シャッタ動作は、コントローラ１３５によって制御される。なお、撮像素子はＣＭＯＳイメージセンサに限定されず、ＣＣＤイメージセンサやＮＭＯＳイメージセンサなど、他のイメージセンサを用いてもよい。
【００１９】
画像処理部１２０は、ＣＭＯＳイメージセンサ１１５から出力された撮像データに対して各種の処理を施して画像データを生成する。また、画像処理部１２０は、メモリカード１４５から読み出した画像データに各種の処理を施して、液晶モニタ１３０に表示するための画像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータなどで構成してもよい。
【００２０】
液晶モニタ１３０は、デジタルカメラ１００の背面に備わる。液晶モニタ１３０は、画像処理部１２０にて処理された画像データに基づく画像を表示する。なお、表示装置は、液晶モニタに限定されず、有機ＥＬモニタなど、他のモニタを用いてもよい。
【００２１】
コントローラ１３５は、デジタルカメラ１００全体の動作を統括制御する。コントローラ１３５は、ハードワイヤードな電子回路で構成してもよいし、マイクロコンピュータなどで構成してもよい。また、コントローラ１３５は、画像処理部１２０などと共に1つの半導体チップで構成してもよい。また、図示していないが、コントローラ１３５は内部にＲＯＭを有している。ＲＯＭには、他の通信機器とのＷｉＦｉ通信を確立するために必要なＳＳＩＤ（Ｓｅｒｖｉｃ Ｓｅｔ Ｉｄｅｎｔｉｆｉｅｒ）、ＷＥＰキー（Ｗｉｒｅｄ Ｅｑｕｉｖａｌｅｎｔ Ｐｒｉｖａｃｙ Ｋｅｙ）が記憶されている。コントローラ１３５は、必要に応じて、ＲＯＭからＳＳＩＤ、ＷＥＰキーを読み出すことができる。また、ＲＯＭには、オートフォーカス制御（ＡＦ制御）や、通信制御に関するプログラムの他、デジタルカメラ１００全体の動作を統括制御するためのプログラムが記憶されている。
【００２２】
バッファメモリ１２５は、画像処理部１２０やコントローラ１３５のワークメモリとして機能する記憶媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。
【００２３】
カードスロット１４０は、メモリカード１４５を着脱可能な接続手段である。カードスロット１４０は、メモリカード１４５を電気的及び機械的に接続可能である。メモリカード１４５は、内部にフラッシュメモリ等の記録素子を備えた外部メモリである。メモリカード１４５は、画像処理部１２０で生成される画像データなどのデータを格納できる。
【００２４】
操作部１５０は、デジタルカメラ１００の外装に備わっている操作釦や操作レバー等のハードキーの総称であり、使用者による操作を受け付ける。操作部１５０は使用者による操作を受け付けると、コントローラ１３５に種々の動作指示信号を通知する。
【００２５】
ＷｉＦｉモジュール１５５は、通信規格ＩＥＥＥ８０２．１１に準拠した通信を行う通信モジュールである。デジタルカメラ１００は、ＷｉＦｉモジュール１５５を介して、ＷｉＦｉモジュールを搭載した他の通信機器と通信することができる。デジタルカメラ１００は、ＷｉＦｉモジュール１５５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールに置換しても構わない。すなわち、通信モジュールとして、比較的通信ビットレートが高く、通信エリアが数メートル以上である通信が可能な通信モジュールを使用すればよい。
【００２６】
ＮＦＣタグ１６０は、ＮＦＣ規格に準拠した通信を行う通信タグである。デジタルカメラ１００は、ＮＦＣタグ１６０を介して、ＮＦＣリーダライタを搭載した他の通信機器と通信し、当該ＮＦＣリーダライタからのデータの読み取りおよび書き込みに応じる。ＮＦＣタグ１６０は、アンテナ、メモリ、ロジック回路を備えている。ＮＦＣタグ１６０のアンテナは、ＮＦＣ規格に準拠した信号を送受信する。ＮＦＣタグ１６０のメモリは、ＮＦＣリーダライタに読み取らせる情報を格納する。また、ＮＦＣタグ１６０のメモリは、ＮＦＣリーダライタによって情報が書き込まれる。ＮＦＣタグ１６０のロジック回路は、アンテナが受信した信号を復調してコントローラ１３５に伝送したり、コントローラ１３５やＮＦＣタグ１６０のメモリから伝送された信号を変調したりする。ＮＦＣタグ１６０は、デジタルカメラ１００の内部から電力供給されていない状態であっても、ＮＦＣタグ１６０に近接したＮＦＣリーダライタからの電磁誘導により電力が供給され動作することができる。
【００２７】
ＮＦＣ規格に準拠した通信の通信エリアは、数センチ程度である。ＮＦＣタグ１６０を介した通信のためには、デジタルカメラ１００のユーザは、ＮＦＣリーダライタを搭載した他の通信機器が、デジタルカメラ１００から数センチ程度の距離内に入るよう、デジタルカメラ１００を他の通信機器に近接させる必要がある。なお、ＮＦＣタグ１６０に換えて、他の近接場型の無線通信を行う通信手段を用いてもよい。
【００２８】
〔１−１−２．スマートフォン２００の構成〕
図３は、スマートフォン２００の電気的構成図である。スマートフォン２００は、画像処理部２０５にて生成された画像データが示す画像を、液晶モニタ２１５に表示することができる。液晶モニタ２１５の表面にはタッチパネル２１０が配置されており、ユーザによるタッチ操作を受け付けることができる。また、スマートフォン２００は操作部２３０を有し、操作部２３０上でタッチパネル２１０による操作以外の操作を行うことができる。コントローラ２２５は、ＷｉＦｉモジュール２３５、ＮＦＣリーダライタ２４０を介して、他の通信機器と通信することができる。
【００２９】
画像処理部２０５は、メモリカード１４５から読み出した画像データに各種の処理を施して、液晶モニタ２１５に表示するための画像を生成する。各種処理としては、伸張処理等が挙げられるが、これらに限定されない。画像処理部２０５は、ハードワイヤードな電子回路で構成してもよいし、プログラムを用いたマイクロコンピュータなどで構成してもよい。
【００３０】
タッチパネル２１０は、使用者の指等の接触を検出して操作情報をコントローラ２２５に出力する入力デバイスである。タッチパネル２１０は、液晶モニタ２１５の表面に配置されている。タッチパネル２１０は、抵抗膜方式でも、静電容量方式でも、他の方式であっても構わない。
【００３１】
液晶モニタ２１５は、コントローラ２２５から指示された画面を表示する表示デバイスである。
【００３２】
バッファメモリ２２０は、コントローラ２２５が各種処理動作を実行するために必要な情報を一時的に格納するメモリである。
【００３３】
コントローラ２２５は、スマートフォン２００を構成する各部の動作を制御する。コントローラ２２５は、画像処理部２０５、タッチパネル２１０、液晶モニタ２１５、バッファメモリ２２０、操作部２３０、ＷｉＦｉモジュール２３５及びＮＦＣリーダライタ２４０に電気的に接続されている。
【００３４】
ＷｉＦｉモジュール２３５は、通信規格ＩＥＥＥ８０２．１１に準拠した通信を行う通信モジュールである。スマートフォン２００は、ＷｉＦｉモジュール２３５を介して、ＷｉＦｉモジュールを搭載した他の通信機器と通信することができる。スマートフォン２００は、ＷｉＦｉモジュール２３５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールに使用しても構わない。すなわち、通信モジュールとして、比較的通信ビットレートが高く、通信エリアが数メートル以上である通信が可能な通信モジュールを使用すればよい。
【００３５】
ＮＦＣリーダライタ２４０は、ＮＦＣ規格に準拠した通信を行う通信リーダである。スマートフォン２００は、ＮＦＣリーダライタ２４０を介して、ＮＦＣリーダライタを搭載した他の通信機器や、ＮＦＣタグを搭載した他の通信機器と通信し、ＮＦＣタグのデータの読み取りおよび書き込みを行うことができる。ＮＦＣリーダライタ２４０は、アンテナ、メモリ、ロジック回路を備えている。ＮＦＣリーダライタ２４０のアンテナは、ＮＦＣ規格に準拠した信号を送受信する。ＮＦＣリーダライタ２４０のメモリは、ＮＦＣタグに書き込む情報を格納する。また、ＮＦＣリーダライタ２４０のメモリは、ＮＦＣタグから読み取った情報を格納する。ＮＦＣリーダライタ２４０のロジック回路は、アンテナが受信した信号を復調してコントローラ２２５に伝送したり、コントローラ２２５やＮＦＣリーダライタ２４０のメモリから伝送された信号を変調したりする。ＮＦＣリーダライタ２４０は、近接させたＮＦＣタグが電力供給されていない状態であっても、近接させたＮＦＣタグに電磁誘導により電力を供給し、情報を書き込んだり、読み取ったりすることができる。なお、ＮＦＣリーダライタに換えて、他の近接場型の無線通信を行う通信手段を用いてもよい。
【００３６】
フラッシュメモリ２４５は、スマートフォン２００で撮影した画像データ及びデジタルカメラ１００から転送された画像データ等を格納する。
【００３７】
なお、スマートフォン２００は、電話機能や、インターネット通信機能や、カメラ機能を備えていてもよい。
【００３８】
〔１−２．動作〕
実施の形態１にかかるデジタルカメラ１００およびスマートフォン２００の動作を説明する。なお、デジタルカメラ１００のＮＦＣタグ１６０と、スマートフォン２００のＮＦＣリーダライタ２４０とを、ＮＦＣ規格に準拠した通信の通信距離範囲内に近づけるユーザの動作を、「タッチ動作」と称する。本実施形態では、タッチ動作において、スマートフォン２００のＮＦＣリーダライタ２４０を、デジタルカメラ１００のＮＦＣタグ１６０に近づけてもよいし、デジタルカメラ１００のＮＦＣタグ１６０を、スマートフォン２００のＮＦＣリーダライタ２４０に近づけてもよい。
【００３９】
デジタルカメラ１００は、再生モードとして、マルチ再生モードと一枚再生モードとを有している。マルチ再生モードは、図４（Ａ）に示すように、デジタルカメラ１００の液晶モニタ１３０に、メモリカード１４５に記録された複数の再生画像を表示するモードである。一枚再生モードは、図４（Ｂ）に示すように、デジタルカメラ１００の液晶モニタ１３０に再生画像を一枚のみ表示するモードである。
【００４０】
また、スマートフォン２００は、デジタルカメラ１００とＷｉＦｉ接続された状態において、デジタルカメラ１００を遠隔操作する機能を有する。以下の説明において、ＷｉＦｉ経由での、デジタルカメラ１００に関するすべての機能についての操作を許可する通信接続を「無制限接続」と定義する。また、ＷｉＦｉ経由での、デジタルカメラ１００に関する一部の機能（例えば、一枚再生モードでの閲覧）のみの操作を許可する通信接続を「制限接続」と定義する。そして、ＷｉＦｉ経由での遠隔操作のすべてを許可しない接続を「接続拒否」と定義する。
【００４１】
デジタルカメラ１００とスマートフォン２００間のＷｉＦｉ接続には、ＷｉＦｉ設定情報（ＳＳＩＤ、ＰＷ（Pass Word）等）が用いられる。ＷｉＦｉ設定情報は、ＳＳＩＤ及びパスワード（以下「ＰＷ」という）を含む。本開示では、「無制限接続」に用いるＷｉＦｉ設定情報（ＳＳＩＤ、ＰＷ（Pass Word）等）を「本ＷｉＦｉ設定情報」（本ＳＳＩＤ、本ＰＷ）」と定義する。また、「制限接続」に用いるＷｉＦｉ設定情報を「仮ＷｉＦｉ設定情報（仮ＳＳＩＤ、仮ＰＷ）」と定義する。本ＷｉＦｉ設定情報（本ＳＳＩＤ、本ＰＷ）は、デジタルカメラ１００から一度発行された後も、恒久的に使われる情報である。仮ＷｉＦｉ設定情報（仮ＳＳＩＤ、仮ＰＷ）は、デジタルカメラ１００に一度発行された後、所定時間経過後に無効になる一時的な情報である。
【００４２】
マルチ再生モードでは、デジタルカメラ１００の液晶モニタ１３０に複数の画像が表示され、その中には、デジタルカメラ１００のユーザが他のユーザに閲覧させたくない画像も含まれる場合がある。一方、一枚再生モードでは、デジタルカメラ１００のユーザは、意図する画像を選択して表示させることができる。そこで、本開示では、マルチ再生モード時にデジタルカメラ１００に対しては、「無制限接続」で登録された機器のみがＷｉＦｉ接続可能とする。一方、マルチ再生モード以外のモード（例えば、一枚再生モード）では、「接続拒否」でない電子機器、すなわち、「無制限接続」または「制限接続」で登録または取り扱われる電子機器がデジタルカメラ１００に対してＷｉＦｉ接続可能であるとする。
【００４３】
以下の説明においては、デジタルカメラ１００に登録するスマートフォン２００を「スマートフォン２００Ａ」とし、デジタルカメラ１００に登録しないスマートフォン２００を「スマートフォン２００Ｂ」として説明する。また、スマートフォン２００Ａを構成する各構成要素の符号の末尾には「Ａ」を、スマートフォン２００Ｂを構成する各部の符号の末尾には「Ｂ」を付して説明する。
【００４４】
〔１−２−１．マルチ再生モード時の動作〕
図５を用いて、マルチ再生モードにおけるデジタルカメラ１００とスマートフォン２００との間の通信動作について説明する。図５は、実施の形態１にかかるマルチ再生モード時の通信動作のフローチャートである。
【００４５】
まず、スマートフォン２００Ａのユーザは、タッチパネル２１０を操作して、デジタルカメラ１００に対して操作指示するためのアプリケーションを起動させる（Ｓ３００）。これにより、スマートフォン２００Ａは、近接させたデジタルカメラ１００に対する遠隔操作が可能となるモードに移行する。
【００４６】
一方、デジタルカメラ１００は、ユーザによる操作部１５０での操作にしたがい、デジタルカメラ１００の動作モードが選択され、設定される。図５に示す例では、デジタルカメラ１００は、ユーザにより、マルチ再生モードに設定される（Ｓ３０１）。マルチ再生モードでは、デジタルカメラ１００に装着されたメモリカード１４５に記録された複数の画像が、液晶モニタ１３０の画面上に表示される。ユーザは、液晶モニタ１３０の画面を閲覧することで、デジタルカメラ１００に装着されたメモリカード１４５に記録された複数の画像を同時に確認することができる。
【００４７】
マルチ再生モードに設定されると、デジタルカメラ１００のコントローラ１３５は、ＮＦＣタグ１６０のメモリ部に本ＳＳＩＤを書き込む（Ｓ３０２）。なお、ＮＦＣタグ１６０への本ＳＳＩＤの書き込みは、マルチ再生モード設定時に限定されない。工場出荷時にあらかじめ本ＳＳＩＤが、ＮＦＣタグ１６０へ書き込まれても良いし、初回の電源ＯＮ時にコントローラ１３５により書き込まれても良い。
【００４８】
続いて、スマートフォン２００Ａをデジタルカメラ１００にタッチさせると（Ｓ３０３）、スマートフォン２００Ａのコントローラ２２５Ａは、ＮＦＣリーダライタ２４０Ａを介して、デジタルカメラ１００のＮＦＣタグ１６０から、本ＳＳＩＤを読み取る（Ｓ３０４）。また、そのタッチ動作により、スマートフォン２００Ａのコントローラ２２５Ａは、ＮＦＣリーダライタ２４０Ａを介して、ＮＦＣタグ１６０に、スマートフォン２００Ａを固有に識別する情報である機器識別子Ａを書き込む（Ｓ３０５）。
【００４９】
その後、デジタルカメラ１００のコントローラ１３５は、ＮＦＣタグ１６０から機器識別子Ａを読み取る（Ｓ３０６）。なお、上記では、ステップＳ３０３のタッチ動作により、スマートフォン２００Ａが、本ＳＳＩＤを取得した後、機器識別子Ａをデジタルカメラ１００に通知した。しかし、処理の順序はこれに限定されない。例えば、ステップＳ３０３のタッチ動作により、スマートフォン２００Ａが、機器識別子Ａを通知し、その後に、本ＳＳＩＤを取得するようにしてもよい。
【００５０】
デジタルカメラ１００のコントローラ１３５は、機器識別子Ａを取得すると、デジタルカメラ１００のメモリ内に記憶された管理表に当該機器識別子Ａが登録されているか否かを確認することにより、スマートフォン２００Ａの認証を行う（Ｓ３０７）。図６に管理表の例を示す。図６に示すように、管理表は、機器識別子と、その機器識別子が示す機器に対する制限（無制限）との対応を管理する。
【００５１】
管理表に機器識別子が登録されていない場合、デジタルカメラ１００のコントローラ１３５は、ユーザに接続許可するか否かを問い合わせるメッセージ画面を液晶モニタ１３０に表示させる（Ｓ３０８）。例えば、図７に示すように、液晶モニタ１３０に、「接続許可する」および「接続許可しない」のいずれかをユーザに選択させるための画面を表示する。この場合、ユーザは操作部１３０を操作することにより、「接続許可する」か「接続許可しない」かのいずれかを選択する。ユーザにより「接続許可しない」が選択された場合、「接続拒否」となり、図５に示す動作を終了する。一方、ユーザにより「接続許可する」が選択された場合、デジタルカメラ１００のコントローラ１３５は、図６に示すように、管理表に機器識別子Ａを登録する。ここでは、スマートフォン２００Ａに対して、ユーザにより「接続許可する」が選択されたとする。
【００５２】
この場合、機器識別子Ａが示すスマートフォン２００Ａは、デジタルカメラ１００に登録された機器すなわち接続許可された機器として管理される。このとき、デジタルカメラ１００はマルチ再生モードであるため、スマートフォン２００Ａは、「無制限接続」で接続される機器として管理表に登録される。
【００５３】
なお、管理表に機器識別子が登録されている場合は、デジタルカメラ１００のコントローラ１３５は、ユーザへ問い合わせるメッセージ画面の表示は行わず、スマートフォン２００Ａを「無制限接続」の機器として取り扱う。
【００５４】
続いて、スマートフォン２００Ａが無制限接続の機器であることから、デジタルカメラ１００のコントローラ１３５は、ＮＦＣタグ１６０に本ＰＷを書き込む（Ｓ３０９）。そして、デジタルカメラ１００のコントローラ１３５は、自機をアクセスポイントとして機能させるためのソフトウェアを実行して、本ＳＳＩＤおよび本ＰＷにてアクセスポイントを起動させる（Ｓ３１０）。
【００５５】
スマートフォン２００Ａのユーザは、ふたたびデジタルカメラ１００にスマートフォン２００Ａをタッチさせる（Ｓ３１１）。このタッチ動作により、スマートフォン２００ＡのＮＦＣリーダライタ２４０Ａは、デジタルカメラ１００のＮＦＣタグ１６０から本ＰＷを読み取ることができる（Ｓ３１２）。そして、スマートフォン２００Ａのコントローラ２２５Ａは、自機をステーションとして機能させるためのソフトウェアを実行して、ステーションを起動させる（Ｓ３１３）。そして、スマートフォン２００Ａのコントローラ２２５Ａは、取得した本ＳＳＩＤおよび本ＰＷを用いて、デジタルカメラ１００とのＷｉＦｉ通信を確立する（Ｓ３１４）。
【００５６】
以上のようにして、スマートフォン２００Ａは、デジタルカメラ１００に「無制限接続」対象の機器として登録され、ＷｉＦｉ通信を確立させる。以後、スマートフォン２００Ａとデジタルカメラ１００とはＷｉＦｉ通信を行う。
【００５７】
その後、スマートフォン２００Ａのユーザが、デジタルカメラ１００に対して、マルチ再生モードに関連する指示を行ったとする。スマートフォン２００Ａは、ユーザ操作に従い、デジタルカメラ１００に対して、マルチ再生モードに関連する指示（遠隔操作の指示）を送信する（Ｓ３１５）。
【００５８】
マルチ再生モードは、「無制限接続」として登録された機器のみがデジタルカメラ１００に対して接続可能（操作可能）となるモードである。また、スマートフォン２００Ａは「無制限接続」の機器である。このため、デジタルカメラ１００のコントローラ１３５は、スマートフォン２００Ａに対して、マルチ再生モードに関連する指示に対する許可応答を送信する（Ｓ３１６）。これにより、スマートフォン２００Ａは、マルチ再生モードに関連するデジタルカメラ１００の遠隔操作が可能となる。
【００５９】
次に、スマートフォン２００Ａのユーザが、デジタルカメラ１００に対して、マルチ再生モード以外の動作モード（例えば、１枚再生モード）に関連する指示を行ったとする。スマートフォン２００Ａは、デジタルカメラ１００に対して、マルチ再生モード以外の動作モード（例えば、１枚再生モード）に関連する指示を送信する（Ｓ３１７）。
【００６０】
マルチ再生モード以外の動作モード（例えば、１枚再生モード）は、「無制限接続」または「制限接続」で登録された機器が、デジタルカメラ１００に対して接続可能（操作可能）なモードである。スマートフォン２００Ａは、デジタルカメラ１００において「接続拒否」されておらず、図６に示すように「無制限接続」の機器として登録されている。このため、デジタルカメラ１００はスマートフォン２００Ａに対して、当該マルチ再生モード以外の動作モードに関連する指示に対する許可応答を行う（Ｓ３１８）。これにより、スマートフォン２００Ａは、マルチ再生モード以外の動作モードに関連する機能についても、デジタルカメラ１００の遠隔操作が可能となる。
【００６１】
以上のようにして、スマートフォン２００Ａは、「無制限接続」の条件にて、デジタルカメラ１００に対する遠隔操作指示を行うことができる。
【００６２】
〔１−２−２．一枚再生モード時の動作〕
図８を用いて、デジタルカメラ１００とスマートフォン２００間での、１枚再生モード時の通信動作について説明する。図８は、実施の形態１における１枚再生モード時の通信動作のフローチャートである。
【００６３】
まず、スマートフォン２００Ｂにおいて、ユーザによるタッチパネル２１０Ｂの操作により、デジタルカメラ１００に対する遠隔操作を可能とするためのアプリケーションが起動される（Ｓ４００）。これにより、スマートフォン２００Ｂは、近接させたデジタルカメラ１００に対して遠隔操作を可能とするモードに移行する。
【００６４】
一方、デジタルカメラ１００において、ユーザによる操作部１５０の操作にしたがい、デジタルカメラ１００の動作モードが選択され、設定される。図８に示す例では、デジタルカメラ１００は、ユーザにより、１枚再生モードに設定される（Ｓ４０１）。１枚再生モードは、デジタルカメラ１００に装着されたメモリカード１４５に記録された画像のうちの１枚を、液晶モニタ１３０の画面上に単独で表示するモードである。ユーザは、液晶モニタ１３０の画面を閲覧することで、デジタルカメラ１００に装着されたメモリカード１４５に記録された画像のうちの１枚だけを単独で確認できる。この場合、例えば、デジタルカメラ１００のユーザが、他人と共有してもよい画像を１枚だけ、再生対象として選択する。
【００６５】
１枚再生モードに設定されると、デジタルカメラ１００のコントローラ１３５は、ＮＦＣタグ１６０のメモリ部に仮ＳＳＩＤを書き込む（Ｓ４０２）。
【００６６】
続いて、スマートフォン２００Ｂをデジタルカメラ１００にタッチさせると（Ｓ４０３）、スマートフォン２００Ｂのコントローラ２２５Ｂは、ＮＦＣリーダライタ２４０Ｂを介して、デジタルカメラ１００のＮＦＣタグ１６０から、仮ＳＳＩＤを読み取る（Ｓ４０４）。また、ステップＳ４０３のタッチ動作により、スマートフォン２００Ｂのコントローラ２２５Ｂは、ＮＦＣリーダライタ２４０Ｂを介して、ＮＦＣタグ１６０に対して、スマートフォン２００Ｂを固有に識別する情報である機器識別子Ｂを書き込む（Ｓ４０５）。ＮＦＣタグ１６０に機器識別子Ｂが書き込まれると、デジタルカメラ１００のコントローラ１３５は、ＮＦＣタグ１６０から機器識別子Ｂを読み取る（Ｓ４０６）。なお、上記では、ステップＳ４０３のタッチ動作により、仮ＳＳＩＤを取得した後、機器識別子Ｂを通知する処理を説明したが、処理の順序はこれに限定されない。すなわち、ステップＳ４０３のタッチ操作により、機器識別子Ｂを通知した後に、仮ＳＳＩＤを取得するようにしてもよい。
【００６７】
デジタルカメラ１００のコントローラ１３５は、機器識別子Ｂを取得すると、デジタルカメラ１００のメモリ内に記憶された管理表に当該機器識別子Ｂが登録されているか否かを確認することにより、スマートフォン２００Ｂの認証を行う（Ｓ４０７）。このとき、スマートフォンが、デジタルカメラ１００の管理表に登録されていた場合、「無制限接続」を許可する。以下では、スマートフォン２００Ｂが、デジタルカメラ１００の管理表に登録されていないとして説明する。
【００６８】
１枚再生モードにおいては、スマートフォン２００Ｂがデジタルカメラ１００の管理表に登録されていない場合、デジタルカメラ１００のコントローラ１３５は、スマートフォン２００Ｂに対して、１枚再生モードにかかる操作指示のみ可能な「制限接続」による接続を許可する。
【００６９】
「制限接続」による接続を行うため、デジタルカメラ１００のコントローラ１３５は、ＮＦＣタグ１６０に仮ＰＷを書き込む（Ｓ４０８）。そして、デジタルカメラ１００のコントローラ１３５は、自機をアクセスポイントとして機能させるためのソフトウェアを実行して、仮ＳＳＩＤおよび仮ＰＷにてアクセスポイントを起動させる（Ｓ４０９）。
【００７０】
スマートフォン２００Ｂのユーザは、ふたたびデジタルカメラ１００にスマートフォン２００Ｂをタッチさせる（Ｓ４１０）。このタッチ動作により、スマートフォン２００ＢのＮＦＣリーダライタ２４０Ｂは、デジタルカメラ１００のＮＦＣタグ１６０から仮ＰＷを読み取ることができる（Ｓ４１１）。そして、スマートフォン２００Ｂのコントローラ２２５Ｂは、自機をステーションとして機能させるためのソフトウェアを実行して、ステーションを起動させる（Ｓ４１２）。そして、スマートフォン２００Ｂのコントローラ２２５Ｂは、取得した仮ＳＳＩＤおよび仮ＰＷを用いて、デジタルカメラ１００とのＷｉＦｉ通信を確立する（Ｓ４１３）。以後、スマートフォン２００Ｂとデジタルカメラ１００とはＷｉＦｉ通信を行う。
【００７１】
以上のようにして、スマートフォン２００Ｂは、デジタルカメラ１００において「制限接続」対象の機器として扱われる状態で、デジタルカメラ１００との間でＷｉＦｉ通信を確立する。
【００７２】
その後、スマートフォン２００Ｂのユーザが、デジタルカメラ１００に対して、１枚再生モードに関連する指示を行ったと（Ｓ４１４）する。１枚再生モードは、「接続拒否」でさえなければ、デジタルカメラ１００に対する他の機器の接続を許可するモードである。スマートフォン２００Ｂは、デジタルカメラ１００にて「制限接続」対象の機器として扱われているため、デジタルカメラ１００はスマートフォン２００Ｂに対して、１枚再生モードに関連する指示に対して許可応答を送信する（Ｓ４１５）。これにより、スマートフォン２００Ｂは、１枚再生モードに関連するデジタルカメラ１００の遠隔操作が可能となる。
【００７３】
さらに、スマートフォン２００Ｂのユーザが、デジタルカメラ１００に対して、マルチ再生モードに関連する指示を行ったと（Ｓ４１６）する。マルチ再生モードは、「無制限接続」として登録された機器のみが接続可能となるモードである。スマートフォン２００Ｂは、デジタルカメラ１００にて「制限接続」対象の機器として扱われている。このため、デジタルカメラ１００はスマートフォン２００Ｂに対して、マルチ再生モードに関連する指示に対して拒否応答を送信する（Ｓ４１７）。このように、スマートフォン２００Ｂを、マルチ再生モードに関連するデジタルカメラ１００の遠隔操作ができないよう制限することができる。
【００７４】
以上のようにして、スマートフォン２００Ｂは、「制限接続」の条件にて、デジタルカメラ１００に対する動作指示を行うことができる。すなわち、仮ＷｉＦｉ設定情報（仮ＳＳＩＤ、仮ＰＷ）を用いてＷｉＦｉ接続が確立された場合、スマートフォン２００Ｂは１枚再生モードに関連する遠隔操作は許可されるが、マルチ再生モードに関連する遠隔操作は拒否される。このように仮ＷｉＦｉ設定情報を用いてＷｉＦｉ接続が確立された場合、スマートフォン２００Ｂからの遠隔操作の範囲が、本ＷｉＦｉ設定情報を用いてＷｉＦｉ接続が確立された場合よりも限定される。
【００７５】
また、仮ＷｉＦｉ設定情報（仮ＳＳＩＤ、仮ＰＷ）は、デジタルカメラ１００に一度発行された後、所定時間経過後に無効になる。これにより、「制限接続」の対象機器に対しては、一定時間の制限下にて、デジタルカメラ１００に対する動作指示を行わせることができる。
【００７６】
以上のように、実施の形態１のデジタルカメラ１００は、スマートフォン２００と通信可能であり、スマートフォン２００からの遠隔操作を許可可能な電子機器である。デジタルカメラ１００は、スマートフォン２００と無線通信を行うＷｉＦｉモジュール１５５（第１の通信部の例）と、ＷｉＦｉ設定情報を用いて、ＷｉＦｉモジュール１５５を介してスマートフォン２００と無線通信を確立するコントローラ１３５と、を備える。コントローラ１３５は、通信確立に用いたＷｉＦｉ設定情報が非一時的に発行されたもの（本ＳＳＩＤ、本ＰＷ）である場合、スマートフォン２００に対して、第１の範囲のデジタルカメラ１００の動作（マルチ再生及び一枚再生の双方）についての遠隔操作を許可する（Ｓ３１５−Ｓ３１６、Ｓ３１７−Ｓ３１８）。通信確立に用いた設定情報が一時的に発行されたもの（仮ＳＳＩＤ、仮ＰＷ）である場合、スマートフォン２００に対して、第１の範囲よりも制限された第２の範囲のデジタルカメラ１００の動作についての遠隔操作（一枚再生にかかる指示のみ）を許可する（Ｓ４１４−Ｓ４１５、Ｓ４１６−Ｓ４１７）。
【００７７】
〔実施の形態２〕
デジタルカメラ１００とスマートフォン２００間の通信動作の別の実施形態について説明する。なお、実施の形態２にかかるデジタルカメラ１００およびスマートフォン２００の構成については、実施の形態１にて説明したデジタルカメラ１００およびスマートフォン２００の構成と同様であるため、詳細説明を省略する。よって、実施の形態２にかかるデジタルカメラ１００およびスマートフォン２００の各構成要素の符号については、実施の形態１にかかるデジタルカメラ１００およびスマートフォン２００と同じ符号を用いる。
【００７８】
本実施形態では、デジタルカメラ１００は、スマートフォン２００から機器識別子を受けて認証後に、ＳＳＩＤ及びＰＷ（ＷｉＦｉ設定情報）をスマートフォン２００に送信する。デジタルカメラ１００での認証時において、管理表にスマートフォンが登録されていない場合、ユーザの選択（無制限接続／制限接続／接続拒否）にしたがってスマートフォンが管理表に登録される。
【００７９】
〔２−１．無制限接続選択時の通信動作〕
図９を用いて、実施の形態２における、ユーザにより無制限接続が選択された時のデジタルカメラ１００とスマートフォン２００Ａ間の通信動作を説明する。図９は、実施の形態２における無制限接続選択時の通信動作のフローチャートである。
【００８０】
まず、スマートフォン２００Ａのユーザは、タッチパネル２１０を操作して、デジタルカメラ１００に対して操作指示するためのアプリケーションを起動させる（Ｓ５００）。これにより、スマートフォン２００Ａは、近接させたデジタルカメラ１００に対する遠隔操作が可能となるモードに移行する。
【００８１】
続いて、スマートフォン２００Ａをデジタルカメラ１００にタッチさせると（Ｓ５０１）、スマートフォン２００Ａのコントローラ２２５Ａは、ＮＦＣリーダライタ２４０Ａを介して、デジタルカメラ１００のＮＦＣタグ１６０に対して、スマートフォン２００Ａを固有に識別する機器識別子Ａを書き込む（Ｓ５０２）。ＮＦＣタグ１６０に機器識別子Ａが書き込まれると、デジタルカメラ１００のコントローラ１３５は、ＮＦＣタグ１６０から機器識別子Ａを読み取る（Ｓ５０３）。
【００８２】
デジタルカメラ１００のコントローラ１３５は、機器識別子Ａを取得すると、デジタルカメラ１００のメモリ内に記憶された管理表に当該機器識別子Ａが登録されているか否かを確認することにより、スマートフォン２００Ａの認証を行う（Ｓ５０４）。管理表に機器識別子が登録されていない場合、デジタルカメラ１００のコントローラ１３５は、ユーザに接続許可するか否かを問い合わせるメッセージ画面を液晶モニタ１３０に表示させる。例えば、液晶モニタ１３０に、図１０に示すように、「無制限接続を許可する」、「制限接続を許可する」及び「接続を許可しない」のいずれかを選択させるための画面を表示する。
【００８３】
ユーザは、操作部１３０を操作することにより、「無制限接続を許可する」、「制限接続を許可する」及び「接続を許可しない」のいずれかを選択する。ユーザにより「接続を許可しない」が選択された場合、「接続拒否」となり、図９に示す動作は本ステップで終了する。ここでは、ユーザが「無制限接続を許可する」を選択したとする（Ｓ５０５）。この場合、デジタルカメラ１００のコントローラ１３５は、図１１に示すように、管理表に機器識別子Ａを登録する。そして、図１１に示すように、機器識別子Ａは「無制限接続」として管理される。以後、機器識別子Ａが示すスマートフォン２００Ａは、デジタルカメラ１００に登録された機器として管理される。デジタルカメラ１００に登録されたスマートフォン２００Ａは、「無制限接続」の対象であるとして把握される。なお、ユーザが「制限接続」を選択した場合の動作については詳細を後述する。
【００８４】
続いて、デジタルカメラ１００のコントローラ１３５は、ＮＦＣタグ１６０に本ＳＳＩＤおよび本ＰＷを書き込む（Ｓ５０６）。そして、デジタルカメラ１００のコントローラ１３５は、自機をアクセスポイントとして機能させるためのソフトウェアを実行して、本ＳＳＩＤおよび本ＰＷにてアクセスポイントを起動させる（Ｓ５０７）。
【００８５】
スマートフォン２００Ａのユーザは、ふたたびデジタルカメラ１００にスマートフォン２００Ａをタッチさせる（Ｓ５０８）。このタッチ動作により、スマートフォン２００ＡのＮＦＣリーダライタ２４０Ａは、デジタルカメラ１００のＮＦＣタグ１６０から本ＳＳＩＤおよび本ＰＷを読み取ることができる（Ｓ５０９）。そして、スマートフォン２００Ａのコントローラ２２５Ａは、自機をステーションとして機能させるためのソフトウェアを実行して、ステーションを起動させる（Ｓ５１０）。そして、スマートフォン２００Ａのコントローラ２２５Ａは、取得した本ＳＳＩＤおよび本ＰＷを用いて、デジタルカメラ１００とのＷｉＦｉ通信を確立する（Ｓ５１１）。以後、スマートフォン２００Ａとデジタルカメラ１００とはＷｉＦｉ通信を行う。
【００８６】
以上のようにして、スマートフォン２００Ａは、デジタルカメラ１００に「無制限接続」対象の機器として登録されて、ＷｉＦｉ通信が確立される。
【００８７】
その後、スマートフォン２００Ａのユーザが、デジタルカメラ１００に対して、１枚再生モードに関連する指示を行ったとする。スマートフォン２００Ａは、ユーザ操作に従い、デジタルカメラ１００に対して、１枚再生モードに関連する指示（遠隔操作の指示）を送信する（Ｓ５１２）。
【００８８】
本実施の形態では、１枚再生モードは、「無制限接続」または「制限接続」として登録された機器が、遠隔操作可能となるモードである。そして、スマートフォン２００Ａは、デジタルカメラ１００にて「無制限接続」対象の機器として登録されているため、デジタルカメラ１００はスマートフォン２００Ａに対して、１枚再生モードに関連する指示に対する許可応答を送信する（Ｓ５１３）。これにより、スマートフォン２００Ａは、１枚再生モードに関連するデジタルカメラ１００の遠隔操作が可能となる。
【００８９】
次に、スマートフォン２００Ａのユーザが、デジタルカメラ１００に対して、マルチ再生モードに関連する指示を行ったとする。スマートフォン２００Ａは、デジタルカメラ１００に対して、マルチ再生モードに関連する指示（遠隔操作の指示）を送信する（Ｓ５１４）。このとき、本実施の形態では、マルチ再生モードは「無制限接続」として登録された機器のみが遠隔操作可能となるモードである。スマートフォン２００Ａは、デジタルカメラ１００にて「無制限接続」の機器として登録されているため、デジタルカメラ１００はスマートフォン２００Ａに対して、マルチ再生モードに関連する指示に対する許可応答を送信する（Ｓ５１５）。従って、スマートフォン２００Ａは、マルチ再生モードに関連するデジタルカメラ１００の遠隔操作が可能となる。
【００９０】
以上のようにして、スマートフォン２００Ａは、「無制限接続」の条件で、デジタルカメラ１００に対する遠隔操作を行うことができる。
【００９１】
〔２−２．制限接続選択時の通信動作〕
続いて、図１２を用いて、制限接続が選択された時のデジタルカメラ１００とスマートフォン２００間での通信動作を説明する。図１２は、実施の形態２における制限接続選択時の通信動作のフローチャートである。
【００９２】
まず、スマートフォン２００Ｂにおいて、ユーザによるタッチパネル２１０Ｂの操作により、デジタルカメラ１００に対する遠隔操作を可能とするためのアプリケーションが起動される（Ｓ６００）。これにより、スマートフォン２００Ｂは、近接させたデジタルカメラ１００に対して遠隔操作を可能とするモードに移行する。
【００９３】
続いて、スマートフォン２００Ｂをデジタルカメラ１００にタッチさせると（Ｓ６０１）、スマートフォン２００Ｂのコントローラ２２５Ｂは、ＮＦＣリーダライタ２４０Ｂを介して、デジタルカメラ１００のＮＦＣタグ１６０に対して、スマートフォン２００Ｂを固有に識別する機器識別子Ｂを書き込む（Ｓ６０２）。ＮＦＣタグ１６０に機器識別子Ｂが書き込まれると、デジタルカメラ１００のコントローラ１３５は、ＮＦＣタグ１６０から機器識別子Ｂを読み取る（Ｓ６０３）。
【００９４】
デジタルカメラ１００のコントローラ１３５は、機器識別子Ｂを取得すると、デジタルカメラ１００のメモリ内に記憶された管理表に当該機器識別子Ｂが登録されているか否かを歓談することで、スマートフォン２００Ｂの認証を行う（Ｓ６０４）。管理表に機器識別子が登録されていない場合、デジタルカメラ１００のコントローラ１３５は、図１０に示すような、ユーザに接続許可するか否かを問い合わせるメッセージ画面を液晶モニタ１３０に表示させる。
【００９５】
ユーザが「制限接続を許可する」を選択した場合、デジタルカメラ１００のコントローラ１３５は、図１１に示すように、管理表に機器識別子Ｂを登録する。そして、図１１に示すように、機器識別子Ｂは「制限接続」として管理する。以後、機器識別子Ｂが示すスマートフォン２００Ｂは、デジタルカメラ１００に登録された機器として管理される。また、デジタルカメラ１００に登録されたスマートフォン２００Ｂは、「制限接続」の対象であるとして、管理表に管理される。
【００９６】
続いて、デジタルカメラ１００のコントローラ１３５は、ＮＦＣタグ１６０に仮ＳＳＩＤおおび仮ＰＷを書き込む（Ｓ６０６）。そして、デジタルカメラ１００のコントローラ１３５は、自機をアクセスポイントとして機能させるためのソフトウェアを実行して、仮ＳＳＩＤおよび仮ＰＷにてアクセスポイントを起動させる（Ｓ６０７）。
【００９７】
また、ユーザは、ふたたびデジタルカメラ１００にスマートフォン２００Ｂをタッチさせる（Ｓ６０８）。このタッチ動作により、スマートフォン２００ＢのＮＦＣリーダライタ２４０Ｂは、デジタルカメラ１００のＮＦＣタグ１６０から仮ＳＳＩＤおよび仮ＰＷを読み取ることができる（Ｓ６０９）。そして、スマートフォン２００Ｂのコントローラ２２５Ｂは、自機をステーションとして機能させるためのソフトウェアを実行して、ステーションを起動させる（Ｓ６１０）。そして、スマートフォン２００Ｂのコントローラ２２５Ｂは、取得した仮ＳＳＩＤおよび仮ＰＷを用いて、デジタルカメラ１００とのＷｉＦｉ通信を確立する（Ｓ６１１）。以後、スマートフォン２００Ｂとデジタルカメラ１００とはＷｉＦｉ通信を行う。
【００９８】
以上のようにして、スマートフォン２００Ｂは、デジタルカメラ１００に「制限接続」の機器として登録されて、ＷｉＦｉ通信が確立される。
【００９９】
その後、スマートフォン２００Ｂのユーザが、デジタルカメラ１００に対して、１枚再生モードに関連した遠隔操作指示を行ったとする。スマートフォン２００Ｂは、デジタルカメラ１００に対して、１枚再生モードに関連する指示を送信する（Ｓ６１２）。本実施の形態では、１枚再生モードは、「無制限接続」または「制限接続」で登録された機器が遠隔操作が可能となるモードである。スマートフォン２００Ｂは、デジタルカメラ１００にて「制限接続」対象の機器として登録されている。このため、デジタルカメラ１００はスマートフォン２００Ｂに対して、１枚再生モードに関連する指示に対して許可応答を送信する（Ｓ６１３）。これにより、スマートフォン２００Ｂは、１枚再生モードにかかるデジタルカメラ１００の遠隔操作が可能となる。
【０１００】
次に、スマートフォン２００Ｂのユーザが、デジタルカメラ１００に対して、マルチ再生モードに関連する指示を行ったとする。スマートフォン２００Ｂは、デジタルカメラ１００に対して、マルチ再生モードに関連する指示を送信する（Ｓ６１４）。しかしながら、スマートフォン２００Ｂは、デジタルカメラ１００にて「制限接続」対象の機器として登録されているため、デジタルカメラ１００はスマートフォン２００Ｂに対して、マルチ再生モードに関連する指示の拒否応答を送信する（Ｓ６１５）。従って、スマートフォン２００Ｂは、マルチ再生モードに関連するデジタルカメラ１００の遠隔操作が可能となる。
【０１０１】
以上のようにして、スマートフォン２００Ｂは、「制限接続」の条件にて、デジタルカメラ１００に対する遠隔操作指示を行うことができる。
【０１０２】
また、仮ＷｉＦｉ設定情報（仮ＳＳＩＤ、仮ＰＷ）は、デジタルカメラ１００に一度発行された後、所定時間経過後に無効になる。これにより、「制限接続」の対象機器に対しては、一定時間の制限下にて、デジタルカメラ１００に対する動作指示を行わせることができる。
【０１０３】
本実施形態においても、通信確立に用いたＷｉＦｉ設定情報が非一時的に発行されたもの（本ＳＳＩＤ、本ＰＷ）である場合、コントローラ１３５は、スマートフォン２００に対して、第１の範囲のデジタルカメラ１００の動作（マルチ再生及び一枚再生の双方）についての遠隔操作を許可する（Ｓ５１２−Ｓ５１３、Ｓ５１４−Ｓ５１５）。通信確立に用いた設定情報が一時的に発行されたもの（仮ＳＳＩＤ、仮ＰＷ）である場合、スマートフォン２００に対して、第１の範囲よりも制限された第２の範囲のデジタルカメラ１００の動作についての遠隔操作（一枚再生にかかる指示のみ）を許可する（Ｓ６１２−Ｓ６１３、Ｓ６１４−Ｓ６１５）。これにより、仮ＷｉＦｉ設定情報を用いてＷｉＦｉ接続が確立された場合、スマートフォン２００Ｂからの遠隔操作の範囲が、本ＷｉＦｉ設定情報を用いてＷｉＦｉ接続が確立された場合よりも限定される。
【０１０４】
以上のように、実施の形態２にかかるデジタルカメラ１００よれば、セキュリティを考慮しながらも、容易に通信を行うことができる。
【０１０５】
〔他の実施の形態〕
以上のように、本出願において開示する技術の例示として、実施の形態１〜２を説明した。しかしながら、本開示における技術は、これに限定されず、適宜、変更、置き換え、付加、省略などを行った実施の形態にも適用可能である。また、上記実施の形態１〜２で説明した各構成要素を組み合わせて、新たな実施の形態とすることも可能である。以下、他の実施の形態を例示する。
【０１０６】
上記実施の形態においては、仮ＷｉＦｉ設定情報（仮ＳＳＩＤ、仮ＰＷ）は、デジタルカメラ１００に一度発行された後、所定時間経過後に無効になるとしたが、これに限定されない。他にも例えば、所定の操作を行ったときに無効にしてもよいし、１枚の画像の閲覧が終了したときに無効にしてもよい。要するに、一時的に発行される情報となるようにできればよい。
【０１０７】
上記実施の形態においては、デジタルカメラ１００のコントローラ１３５は、ＮＦＣタグ１６０にＷｉＦｉ設定情報（本ＰＷや本ＳＳＩＤ、仮ＰＷ、仮ＳＳＩＤ）を書き込む（Ｓ３０９、Ｓ４０８、Ｓ５０６、Ｓ６０６）方式にて説明を行ったが、これに限定されない。デジタルカメラ１００のコントローラ１３５は、ＮＦＣタグ１６０にＷｉＦｉ設定情報の事前の書き込みは行わず、タッチ動作（Ｓ３１１、Ｓ４１０、Ｓ５０８、Ｓ６０８）を行ったときに、デジタルカメラ１００のコントローラ１３５からＮＦＣタグ１６０を介して、直接スマートフォン２００Ａに対して、ＷｉＦｉ設定情報の通知を行っても良い。デジタルカメラ１００は、ＮＦＣタグ１６０へ本ＰＷを書き込まないことで、よりセキュアなシステムを提供できる。
【０１０８】
さらに、このときデジタルカメラ１００は、スマートフォン２００Ａのタッチ動作（Ｓ３１１、Ｓ４１０、Ｓ５０８、Ｓ６０８）が完了した後、デジタルカメラ１００のＮＦＣタグ１６０へ書き込んだＷｉＦｉ設定情報を消去しても良い。デジタルカメラ１００は、ＮＦＣタグ１６０へ書き込んだ本ＰＷ情報を消去することで、よりセキュアなシステムを提供できる。
【０１０９】
また、デジタルカメラ１００は、スマートフォン２００Ａのタッチ動作（Ｓ３１１、Ｓ４１０、Ｓ５０８、Ｓ６０８）が一定時間なされない場合に、デジタルカメラ１００は、ＮＦＣタグ１６０へ書き込んだＷｉＦｉ設定情報を消去してもよい。これにより、さらにセキュアなシステムを提供できる。
【０１１０】
また、上記実施形態において、図５に示すステップＳ３０８等において、管理表に機器識別子が登録されていない場合、接続許可について「ユーザ問い合わせ」を行ったが、すでに管理表に機器識別子が登録されている場合、「ユーザ問い合わせ」を行わなくてもよい。
【０１１１】
デジタルカメラ１００のコントローラ１３５及びスマートフォン２００のコントローラ２２５は、例えば、ＣＰＵ，ＭＰＵ，ＦＰＧＡで構成される。
【０１１２】
以上のように、本開示における技術の例示として、実施の形態を説明した。そのために、添付図面および詳細な説明を提供した。
【０１１３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１４】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１５】
本開示の技術的思想は、デジタルカメラやスマートフォンへの実施に限定されない。すなわち、本開示の技術的思想は、他の電子機器と通信し、画像を通信可能な電子機器に対して適用可能である。
【手続補正３】
【補正対象書類名】図面
【補正対象項目名】全図
【補正方法】変更
【補正の内容】
【図１】
2014103314.tif 000015
【図２】
2014103314.tif 000016
【図３】
2014103314.tif 000017
【図４】
2014103314.tif 000018
【図５】
2014103314.tif 000019
【図６】
2014103314.tif 000020
【図７】
2014103314.tif 000021
【図８】
2014103314.tif 000022
【図９】
2014103314.tif 000023
【図１０】
2014103314.tif 000024
【図１１】
2014103314.tif 000025
【図１２】
2014103314.tif 000026
【国際調査報告】
2014103314.tif 000027
2014103314.tif 000028